(57)【要約】      （修正有）【課題】サーバのページ情報に表示情報の更新があり情報の掲載位置が変わっても設定を修正することなく必要とする情報を伝達でき、かつ、情報をコンパクトな情報として携帯電話へも伝達表示する伝達方法を提供する。【解決手段】予め端末装置識別子或いはＵＲＬアドレスからなる登録アドレスに対応して第２のＵＲＬアドレスと略リンクアドレスによって指定する伝達領域を設定記憶するステップと、前記登録アドレスに対応する伝達領域である前記第２のＵＲＬアドレスのサーバをアクセスし第１のページ情報を受信するステップと、前記設定された伝達領域を読み出し、前記第１のページ情報から前記伝達領域の文字データを選択的に抽出し第１の文字データを生成するステップと、前記第１の文字データを前記登録アドレスである端末装置識別子、或いは、前記登録アドレスに対応する情報送付先端末装置アドレスへ送信するステップを具備する。【選択図】図２
2006031661.tif 000002
【特許請求の範囲】
【請求項１】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定記憶するステップと、前記登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１の文字データを前記登録アドレスである端末装置識別子、或いは、前記登録アドレスに対応する情報送付先端末装置アドレスへ送信するステップを具備することを特徴とする。
【請求項２】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１の文字データを前記端末装置識別子或いは前記情報送付先アドレスの端末装置へ送信するステップを具備することを特徴とする。
【請求項３】
インターネットに接続される複数のサーバに格納された所定の言語形式に従うページ情報をインターネット或いは携帯電話通信網に接続される複数のユーザの端末装置に伝達し表示する方法において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴によって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１のページ情報から前記伝達領域のリンクアドレスデータを選択的に抽出しリンクアドレスを生成するステップと、前記第２のＵＲＬアドレスかつ前記リンクアドレスの所定の言語形式に従う第２の文字データを含むページ情報をサーバより受信するステップと、前記登録アドレスに対応する前記第２のＵＲＬアドレスと略リンクアドレスに対応する文字記号配置の特徴よって設定された伝達領域を読み出し、受信した前記第２の文字データを含むページ情報から文字記号配置の特徴により設定される前記伝達領域の文字データを選択的に抽出し第２の文字データを生成するステップと、前記第１の文字データと前記第２の文字データを所定の言語形式に従うページ情報或いは電子メール情報の送信伝達情報として変換し前記端末装置識別子或いは前記情報送付先アドレスの端末装置へ送信するステップと、前記端末装置は前記送信伝達情報を受信するステップと、前記送信伝達情報を表示情報に変換し表示するステップを具備することを特徴とする。
【請求項４】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴によって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１のページ情報から前記伝達領域のリンクアドレスデータを選択的に抽出しリンクアドレスを生成するステップと、前記第１の文字データに対して第３のＵＲＬリンクアドレスをリンクボタンとして設定する所定の言語形式に従う新たなページ情報である第１の文字データを含むリンク付きページ情報を生成するステップと、前記第１の文字データを含むリンク付きページ情報を前記端末装置識別子或いは前記情報送付先アドレスの端末装置に送信するステップと、前記第２のＵＲＬアドレスかつ前記リンクアドレスの所定の言語形式に従う第２の文字データを含むページ情報をサーバより受信するステップと、前記登録アドレスに対応する前記第２のＵＲＬアドレスと略リンクアドレスに対応する文字記号配置の特徴よって設定された伝達領域を読み出し、受信した前記第２の文字データを含むページ情報から文字記号配置の特徴により設定される前記伝達領域の文字データを選択的に抽出し第２の文字データを生成するステップと、前記第３のＵＲＬリンクアドレスに対応して第２の文字データを記憶するステップと、前記端末装置より前記第１の文字データを含むリンク付きページ情報に存在する前記第３のＵＲＬリンクアドレスへのアクセスを検出するステップと、前記第３のＵＲＬリンクアドレスにアクセスを検出したとき前記第２の文字データを所定の言語形式に従うページ情報である第２の文字データを含むページ情報を生成するステップと、前記第２の文字データを含むページ情報を前記端末装置識別子或いは前記情報送付先アドレスの端末装置へ送信するステップを具備することを特徴とする。
【請求項５】
インターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴９ＢＴによって指定する伝達領域或いはこれに加えて情報送付先アドレスを記憶手段に出力する伝達領域設定手段と、端末装置のＵＲＬアドレスへの情報要求信号を受けＵＲＬアドレスを含む第１のＵＲＬアドレス受信要求信号と前記情報要求信号を発生した端末装置識別子を出力する第１の受信手段、或いは、所定の時間に情報送信要求であるＵＲＬアドレス送信タイミング信号と端末装置識別子を出力する送信タイミング発生手段からなる情報要求信号発生手段と、前記第１のＵＲＬアドレス受信要求信号或いは前記送信タイミング信号と前記識別子を受け、前記記憶手段から前記端末装置識別子或いは前記ＵＲＬアドレス或いは前記端末装置識別子と前記ＵＲＬアドレスからなる登録アドレスに対応する伝達領域である前記第２のＵＲＬアドレスを読み出し前記第２のＵＲＬアドレスのサーバへアクセスする第１のページ情報要求を発生しサーバアクセスを制御するサーバアクセス制御手段と、前記第１のページ情報要求を受け、前記第１のページ情報要求と情報伝達装置の端末アドレスを含む第１のページ情報要求信号を前記サーバへインターネットを介して送信する第２の送信手段と、前記第２のＵＲＬアドレスのサーバから所定の言語形式に従う第１のページ情報を受信し第１の受信ページ情報を出力する第２の受信手段と、前記登録アドレスに対応する前記第２のＵＲＬアドレスと略リンクアドレスによって設定される伝達領域を記憶手段より受け、前記第１の受信ページ情報から前記伝達領域の文字データを選択的に抽出し前記略リンクアドレスに対する第１の文字データを生成する第１の伝達領域文字抽出手段と、前記登録アドレスに対応する前記第２のＵＲＬアドレスと略リンクアドレスに対応し前記第１の文字データを記憶し、かつ、前記伝達領域或いはこれに加えて前記情報送付先アドレス等の必要な情報を記憶する記憶手段と、前記第１の文字データを記憶手段から読み出し所定の言語形式に従うページ情報である第１の文字データを含むページ情報を生成出力する第１のページ情報生成手段と、前記第１の文字データを含むページ情報を受け前記端末装置識別子或いは前記情報送付先アドレスの端末装置へインターネット或いは携帯電話通信網を介して前記第１の文字データを含むページ情報と前記端末装置識別子或いは前記情報送付先アドレスを含む前記送信伝達情報を送信する第１の送信手段を具備することを特徴とする。
【請求項６】
インターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴９ＢＴによって指定する伝達領域或いはこれに加えて情報送付先アドレスを記憶手段に出力する伝達領域設定手段と、端末装置のＵＲＬアドレスへの情報要求信号を受けＵＲＬアドレスを含む第１のＵＲＬアドレス受信要求信号と前記情報要求信号を発生した端末装置識別子を出力、および、端末装置の第３のリンクアドレスへの情報要求信号を受け第３のリンクアドレスを含む第３のリンクアドレス受信要求信号と前記情報要求信号を発生した端末装置識別子を出力する第１の受信手段と、前記第１のＵＲＬアドレス受信要求信号と前記端末装置識別子を受け、前記記憶手段から前記端末装置識別子或いは前記ＵＲＬアドレス或いは前記端末装置識別子と前記ＵＲＬアドレスからなる登録アドレスに対応する伝達領域である前記第２のＵＲＬアドレスと略リンクアドレスを読み出し前記第２のＵＲＬアドレスのサーバへアクセスする第１のページ情報要求とリンクアドレス読出手段で読み出されたリンクアドレスのサーバにアクセスする第２のページ要求信号を発生しサーバアクセスを制御するサーバアクセス制御手段と、前記第１のページ情報要求を受け、前記第１のページ情報要求と情報伝達装置の端末アドレスを含む第１のページ情報要求信号を前記サーバへインターネットを介して送信し、かつ、前記第２のページ情報要求を受け、前記第２のページ情報要求と情報伝達装置の端末アドレスを含む第２のページ情報要求信号を前記サーバへインターネットを介して送信する第２の送信手段と、前記第２のＵＲＬアドレスのサーバから所定の言語形式に従う第１のページ情報を受信し第１の受信ページ情報を出力し、かつ、リンクアドレス読出手段より抽出されるリンクアドレスの所定の言語形式に従う第２の文字データを含むページ情報をサーバより受信し第２の受信ページ情報を出力する第２の受信手段と、前記登録アドレスに対応する前記第２のＵＲＬアドレスと略リンクアドレスによって設定される伝達領域を記憶手段より受け、前記第１の受信ページ情報から前記伝達領域の文字データを選択的に抽出し前記略リンクアドレスに対する第１の文字データを生成する第１の伝達領域文字抽出手段と、前記登録アドレスに対応する前記第２のＵＲＬアドレスと略リンクアドレスによって設定される伝達領域を記憶手段より受け、前記第１の受信ページ情報から前記伝達領域のリンクアドレスデータを選択的に抽出し前記略リンクアドレスに対するリンクアドレスを生成するリンクアドレス読出手段と、前記第１の文字データをリンクボタン付の新たなＵＲＬリンクアドレスである第３のリンクアドレスとして設定する所定の言語形式に従う第１の文字データを含むリンク付きページ情報を生成する第１のページ情報生成手段と、前記登録アドレスに対応する前記第２のＵＲＬアドレスと略リンクアドレスに対応する文字記号配置の特徴により設定される伝達領域を読出し、第２の受信手段からの第２の受信ページ情報から文字データを選択的に抽出し第２の文字データを生成する第２の伝達領域文字抽出手段と、前記第３のリンクアドレスと対応する第２の文字データを記憶手段から読み出し所定の言語形式に従うページ情報である第２の文字データを含むページ情報を生成出力する第２のページ情報生成手段と、前記第３のリンクアドレス及び前記第３のリンクアドレスに対応して第２の文字データを記憶し、かつ、前記伝達領域或いはこれに加えて前記情報送付先アドレス等の必要な情報を記憶する記憶手段と、前記端末装置の第３のリンクアドレスへのアクセスによる第１の受信手段から第３のリンクアドレス受信要求信号を受け第３のリンクアドレスに対応する前記第２の文字データを記憶手段から読み出し所定の言語形式に従うページ情報である第２の文字データページ情報を生成出力する第２のページ情報生成手段と、第１のページ情報生成手段からの前記第１の文字データを含むリンク付きページ情報を受け、第１の文字データを含むリンク付きページ情報と情報伝達装置の端末アドレスを含む第１の文字データを含むリンク付きページ情報送信信号を端末装置へ、及び、第２のページ情報生成手段からの前記第２の文字データページ情報を受け前記端末装置識別子或いは前記情報送付先アドレスを含む第２の文字データを含むページ情報送信信号を端末装置へインターネット或いは携帯電話通信網を介して送信する第１の送信手段を具備することを特徴とする。
【請求項７】
インターネットに接続される複数のサーバに格納された所定の言語形式に従うページ情報を受信し表示する端末装置において、予めＵＲＬアドレスとＵＲＬアドレスに対応する略リンクアドレスによって指定する伝達領域を設定し記憶手段に出力する伝達領域設定手段と、前記ＵＲＬアドレスのサーバをアクセスするためのアクセス情報を発生するアクセス情報発生手段と、前記アクセス情報を通信網を介してサーバに送信する送信手段と、前記ＵＲＬアドレスの前記サーバから通信網を介して所定の言語形式に従うページ情報を受信する受信手段と、前記ＵＲＬアドレスと前記ＵＲＬアドレスに対応する前記略リンクアドレスで設定される伝達領域を記憶手段より読出し、前記ページ情報から前記伝達領域の文字データを選択的に抽出し第１の文字データを生成する第１の伝達領域文字抽出手段と、前記第１の文字データを表示情報に変換する変換手段と、表示情報を表示する表示手段と、必要な情報を記憶する記憶手段を具備することを特徴とする。
【請求項８】
インターネットに接続されるサーバに格納された所定の言語形式に従うページ情報をインターネット或いは携帯電話通信網に接続される複数のユーザの端末装置に伝達するサーバにおいて、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定し記憶手段に出力する伝達領域設定手段と、インターネット或いは携帯電話通信網に接続される端末識別子をもつ端末装置のＵＲＬアドレスへの情報要求信号を受信し、或いは端末装置識別子の端末装置に送信するタイミングを与える送信タイミング信号を受信し登録アドレスを検知し検出登録アドレスを出力する登録アドレス検知手段と、前記検出登録アドレスを受け登録アドレスに対応する前記第２のＵＲＬアドレスを記憶手段より読出し前記第２のＵＲＬアドレスの第１のページ情報を読み出し、かつ、前記登録アドレスに対応する前記第２のＵＲＬアドレスと略リンクアドレスにより設定される伝達領域を読み出し、前記第１のページ情報から前記伝達領域の文字データを選択的に抽出し第１の文字データを生成する第１の伝達領域文字抽出手段と、前記登録アドレスに対応して前記第２のＵＲＬアドレスと略リンクアドレス、及び、これらに対応して前記第１の文字データを記憶し、かつ、前記伝達領域或いはこれに加えて前記情報送付先アドレス、或いは、サーバとしての第１のページ情報等の必要な情報を記憶する記憶手段と、前記第１の文字データを所定の言語形式に従うページ情報或いは電子メール情報である送信伝達情報として変換する情報変換手段と、前記送信伝達情報を前記登録アドレスに対応する端末装置識別子或いは情報送付先端末装置アドレスへインターネット或いは携帯電話通信網を介して送信する送信手段を具備することを特徴とする。
【請求項９】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定記憶するステップと、登録アドレスに対応する伝達領域である前記第２のＵＲＬアドレスのサーバをアクセスし所定の言語形式に従う第１のページ情報を受信するステップと、登録アドレスに対応する前記第２のＵＲＬアドレスと略リンクアドレスによって設定する伝達領域を読出し、前記第１のページ情報から前記伝達領域の文字データを選択的に抽出し第１の文字データを生成するステップと、前記第１の文字データを記憶するステップと、前記第１の文字データの最新データと一つ前のデータを比較し異なる更新情報であることを判別するステップと、更新情報であると判別された前記第１の文字データを前記登録アドレスである端末装置識別子、或いは、前記登録アドレスに対応する情報送付先端末装置アドレスへ送信するステップを具備することを特徴とする。
【発明の詳細な説明】
【技術分野】
【０００１】本発明は、インターネットに接続される複数のサーバに格納された所定の言語形式に従うページ情報をインターネット或いは携帯電話通信網に接続される複数のユーザの端末装置に伝達するための、伝達方法、及び、手段に関するもので、伝達するための手段としては、情報伝達装置、及び、端末装置に情報を伝達するためのサーバ、及び、情報を得るための端末装置に関するものである。
【背景技術】
【０００２】近年、インターネットを利用して、ＵＲＬ（Ｕｎｉｆｏｒｍ  Ｒｅｓｏｕｒｃｅ  Ｌｏｃａｔｏｒ）アドレスを入力してＷｅｂページを表示させ最新のニュース等の欲しい情報を入手したり、ブックマークをつけたＷｅｂページを定期的に確認したりして欲しいデータを情報を入手している。【０００３】また、ユーザ自らが膨大な情報の中から自分にとって必要な情報をいちいち収集するのは手間がかかるため、ユーザに代わってインターネット上の情報をユーザの指定する伝達分野の情報を収集し、情報を配信するシステムが提案されている。この従来の情報配信システム（特開２００３−４４３９１）では、「特に所望の情報を、その所望の情報が含まれＷｅｂページのＵＲＬアドレスと、Ｗｅｂページ上での二次元座標等の掲載位置情報を用いて特定することにより、インターネット上での巡回においても、また新たな情報源の連結においても、時間的、経済的にコストの削減が可能となった。」としている。
【特許文献】特開２００３−４４３９１
【発明の開示】
【本発明が解決しようとする課題】
【０００４】しかしながら、従来の情報配信システム（特開２００３−４４３９１）では、情報伝達という点において、伝達領域をＷｅｂページのＵＲＬアドレスと、Ｗｅｂページ上での二次元座標等の掲載位置情報を用いて特定しているが、Ｗｅｂページ情報の更新等により掲載位置が変化すると、「位置データベース２２３は、上述したように巡回するべき所望の情報４１１１と、それぞれの位置を特定するためのＵＲＬアドレスと掲載位置情報とを関連づけて記憶している。もちろん、所望の情報４１１１の位置が変わった場合には、速やかに新しいＵＲＬアドレスと掲載位置情報に変更される。」との記載の通り、いちいちその都度位置情報を修正する必要があり、大変手間がかかり、経済的や時間的なコストの面で不十分で、実用的ではなかった。（以下本明細書では、Ｗｅｂページをページ情報として表現している。）すなわち、サーバのページ情報に表示情報の更新があり位置が変わったとしても、当初設定を修正することなく、必要とする情報を伝達することができるようにすることが実用性の面での大きな課題であった。
【０００５】また、従来、携帯電話への情報伝達は携帯電話網に接続されたサーバから情報を取得しており、携帯電話網だけでなく広くインターネットに接続されたサーバの情報をコンパクトな情報として携帯電話へ伝達表示する簡単なシステムは提供されていなかった。その簡単なシステムの提供が望まれていた。
【課題を解決するための手段】
【０００６】前記課題を解決するために、本発明の情報配信システムは、次のような手段を採用する。
【０００７】請求項１では、インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定記憶するステップと、前記登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１の文字データを前記登録アドレスである端末装置識別子、或いは、前記登録アドレスに対応する情報送付先端末装置アドレスへ送信するステップを具備している。このようにすることで、第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく文字を選択的に抽出生成し伝達することがことができ、変更の手間は不要にでき、かつ、構成は簡単にできる。
【０００８】請求項２では、インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１の文字データを前記端末装置識別子或いは前記情報送付先アドレスの端末装置へ送信するステップを具備している。このようにすることで、登録アドレスに対応する第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく文字データを選択的に抽出し第１の文字データを生成し伝達することがことができ、さらには、変更の手間は不要にできる。かつ、構成は簡単にできる。
【０００９】請求項３では、インターネットに接続される複数のサーバに格納された所定の言語形式に従うページ情報をインターネット或いは携帯電話通信網に接続される複数のユーザの端末装置に伝達し表示する方法において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴によって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１のページ情報から前記伝達領域のリンクアドレスデータを選択的に抽出しリンクアドレスを生成するステップと、前記第２のＵＲＬアドレスかつ前記リンクアドレスの所定の言語形式に従う第２の文字データを含むページ情報をサーバより受信するステップと、前記登録アドレスに対応する前記第２のＵＲＬアドレスと略リンクアドレスに対応する文字記号配置の特徴よって設定された伝達領域を読み出し、受信した前記第２の文字データを含むページ情報から文字記号配置の特徴により設定される前記伝達領域の文字データを選択的に抽出し第２の文字データを生成するステップと、前記第１の文字データと前記第２の文字データを所定の言語形式に従うページ情報或いは電子メール情報の送信伝達情報として変換し前記端末装置識別子或いは前記情報送付先アドレスの端末装置へ送信するステップと、前記端末装置は前記送信伝達情報を受信するステップと、前記送信伝達情報を表示情報に変換し表示するステップを具備している。このようにすることで、第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく文字データを選択的抽出し伝達することがことができ、かつ、第２のＵＲＬアドレスと略リンクアドレスから導かれるリンクアドレスに対応する第２の文字データをユーザの端末装置に伝達することができる。かつ、構成は簡単にできる。
【００１０】請求項４では、インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴によって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１のページ情報から前記伝達領域のリンクアドレスデータを選択的に抽出しリンクアドレスを生成するステップと、前記第１の文字データに対して第３のＵＲＬリンクアドレスをリンクボタンとして設定する所定の言語形式に従う新たなページ情報である第１の文字データを含むリンク付きページ情報を生成するステップと、前記第１の文字データを含むリンク付きページ情報を前記端末装置識別子或いは前記情報送付先アドレスの端末装置に送信するステップと、前記第２のＵＲＬアドレスかつ前記リンクアドレスの所定の言語形式に従う第２の文字データを含むページ情報をサーバより受信するステップと、前記登録アドレスに対応する前記第２のＵＲＬアドレスと略リンクアドレスに対応する文字記号配置の特徴よって設定された伝達領域を読み出し、受信した前記第２の文字データを含むページ情報から文字記号配置の特徴により設定される前記伝達領域の文字データを選択的に抽出し第２の文字データを生成するステップと、前記第３のＵＲＬリンクアドレスに対応して第２の文字データを記憶するステップと、前記端末装置より前記第１の文字データを含むリンク付きページ情報に存在する前記第３のＵＲＬリンクアドレスへのアクセスを検出するステップと、前記第３のＵＲＬリンクアドレスにアクセスを検出したとき前記第２の文字データを所定の言語形式に従うページ情報である第２の文字データを含むページ情報を生成するステップと、前記第２の文字データを含むページ情報を前記端末装置識別子或いは前記情報送付先アドレスの端末装置へ送信するステップを具備している。このようにすることで、第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく文字データを選択的に抽出生成し伝達することがことができ、かつ、第２のＵＲＬアドレスと略リンクアドレスから導かれるリンクアドレスを抽出し、前記第１の文字データに対して第３のＵＲＬリンクアドレスをリンクボタンとして設定する所定の言語形式に従う新たなページ情報である第１の文字データを含むリンク付きページ情報をユーザの端末装置に伝達でき、さらに、ユーザの端末装置から第３のＵＲＬリンクアドレスのリンクボタンにアクセスがあったときは、第３のＵＲＬリンクアドレスに対応する第２の文字データをユーザの端末装置に伝達することができ、必要とするデータのみを端末装置に伝達することができ、かつ、端末装置からの操作が簡単化できる。かつ、構成は簡単にできる。
【００１１】請求項５では、インターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴９ＢＴによって指定する伝達領域或いはこれに加えて情報送付先アドレスを記憶手段に出力する伝達領域設定手段と、端末装置のＵＲＬアドレスへの情報要求信号を受けＵＲＬアドレスを含む第１のＵＲＬアドレス受信要求信号と前記情報要求信号を発生した端末装置識別子を出力する第１の受信手段、或いは、所定の時問に情報送信要求であるＵＲＬアドレス送信タイミング信号と端末装置識別子を出力する送信タイミング発生手段からなる情報要求信号発生手段と、前記第１のＵＲＬアドレス受信要求信号或いは前記送信タイミング信号と前記識別子を受け、前記記憶手段から前記端末装置識別子或いは前記ＵＲＬアドレス或いは前記端末装置識別子と前記ＵＲＬアドレスからなる登録アドレスに対応する伝達領域である前記第２のＵＲＬアドレスを読み出し前記第２のＵＲＬアドレスのサーバへアクセスする第１のページ情報要求を発生しサーバアクセスを制御するサーバアクセス制御手段と、前記第１のページ情報要求を受け、前記第１のページ情報要求と情報伝達装置の端末アドレスを含む第１のページ情報要求信号を前記サーバへインターネットを介して送信する第２の送信手段と、前記第２のＵＲＬアドレスのサーバから所定の言語形式に従う第１のページ情報を受信し第１の受信ページ情報を出力する第２の受信手段と、前記登録アドレスに対応する前記第２のＵＲＬアドレスと略リンクアドレスによって設定される伝達領域を記憶手段より受け、前記第１の受信ページ情報から前記伝達領域の文字データを選択的に抽出し前記略リンクアドレスに対する第１の文字データを生成する第１の伝達領域文字抽出手段と、前記登録アドレスに対応する前記第２のＵＲＬアドレスと略リンクアドレスに対応し前記第１の文字データを記憶し、かつ、前記伝達領域或いはこれに加えて前記情報送付先アドレス等の必要な情報を記憶する記憶手段と、前記第１の文字データを記憶手段から読み出し所定の言語形式に従うページ情報である第１の文字データを含むページ情報を生成出力する第１のページ情報生成手段と、前記第１の文字データを含むページ情報を受け前記端末装置識別子或いは前記情報送付先アドレスの端末装置へインターネット或いは携帯電話通信網を介して前記第１の文字データを含むページ情報と前記端末装置識別子或いは前記情報送付先アドレスを含む前記送信伝達情報を送信する第１の送信手段を具備している。このような情報伝達装置とすることで、第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく選択的に文字データを抽出し第１の文字データを生成しインターネットのページ情報であっても、ユーザの指定する限られた文字データのみを抽出し携帯電話等の端末装置に伝達できる。かつ、構成は簡単にできる。
【００１２】請求項６では、インターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴９ＢＴによって指定する伝達領域或いはこれに加えて情報送付先アドレスを記憶手段に出力する伝達領域設定手段と、端末装置のＵＲＬアドレスへの情報要求信号を受けＵＲＬアドレスを含む第１のＵＲＬアドレス受信要求信号と前記情報要求信号を発生した端末装置識別子を出力、および、端末装置の第３のリンクアドレスへの情報要求信号を受け第３のリンクアドレスを含む第３のリンクアドレス受信要求信号と前記情報要求信号を発生した端末装置識別子を出力する第１の受信手段と、前記第１のＵＲＬアドレス受信要求信号と前記端末装置識別子を受け、前記記憶手段から前記端末装置識別子或いは前記ＵＲＬアドレス或いは前記端末装置識別子と前記ＵＲＬアドレスからなる登録アドレスに対応する伝達領域である前記第２のＵＲＬアドレスと略リンクアドレスを読み出し前記第２のＵＲＬアドレスのサーバへアクセスする第１のページ情報要求とリンクアドレス読出手段で読み出されたリンクアドレスのサーバにアクセスする第２のページ要求信号を発生しサーバアクセスを制御するサーバアクセス制御手段と、前記第１のページ情報要求を受け、前記第１のページ情報要求と情報伝達装置の端末アドレスを含む第１のページ情報要求信号を前記サーバへインターネットを介して送信し、かつ、前記第２のページ情報要求を受け、前記第２のページ情報要求と情報伝達装置の端末アドレスを含む第２のページ情報要求信号を前記サーバへインターネットを介して送信する第２の送信手段と、前記第２のＵＲＬアドレスのサーバから所定の言語形式に従う第１のページ情報を受信し第１の受信ページ情報を出力し、かつ、リンクアドレス読出手段より抽出されるリンクアドレスの所定の言語形式に従う第２の文字データを含むページ情報をサーバより受信し第２の受信ページ情報を出力する第２の受信手段と、前記登録アドレスに対応する前記第２のＵＲＬアドレスと略リンクアドレスによって設定される伝達領域を記憶手段より受け、前記第１の受信ページ情報から前記伝達領域の文字データを選択的に抽出し前記略リンクアドレスに対する第１の文字データを生成する第１の伝達領域文字抽出手段と、前記登録アドレスに対応する前記第２のＵＲＬアドレスと略リンクアドレスによって設定される伝達領域を記憶手段より受け、前記第１の受信ページ情報から前記伝達領域のリンクアドレスデータを選択的に抽出し前記略リンクアドレスに対するリンクアドレスを生成するリンクアドレス読出手段と、前記第１の文字データをリンクボタン付の新たなＵＲＬリンクアドレスである第３のリンクアドレスとして設定する所定の言語形式に従う第１の文字データを含むリンク付きページ情報を生成する第１のページ情報生成手段と、前記登録アドレスに対応する前記第２のＵＲＬアドレスと略リンクアドレスに対応する文字記号配置の特徴により設定される伝達領域を読出し、第２の受信手段からの第２の受信ページ情報から文字データを選択的に抽出し第２の文字データを生成する第２の伝達領域文字抽出手段と、前記第３のリンクアドレスと対応する第２の文字データを記憶手段から読み出し所定の言語形式に従うページ情報である第２の文字データを含むページ情報を生成出力する第２のページ情報生成手段と、前記第３のリンクアドレス及び前記第３のリンクアドレスに対応して第２の文字データを記憶し、かつ、前記伝達領域或いはこれに加えて前記情報送付先アドレス等の必要な情報を記憶する記憶手段と、前記端末装置の第３のリンクアドレスへのアクセスによる第１の受信手段から第３のリンクアドレス受信要求信号を受け第３のリンクアドレスに対応する前記第２の文字データを記憶手段から読み出し所定の言語形式に従うページ情報である第２の文字データページ情報を生成出力する第２のページ情報生成手段と、第１のページ情報生成手段からの前記第１の文字データを含むリンク付きページ情報を受け、第１の文字データを含むリンク付きページ情報と情報伝達装置の端末アドレスを含む第１の文字データを含むリンク付きページ情報送信信号を端末装置へ、及び、第２のページ情報生成手段からの前記第２の文字データページ情報を受け前記端末装置識別子或いは前記情報送付先アドレスを含む第２の文字データを含むページ情報送信信号を端末装置へインターネット或いは携帯電話通信網を介して送信する第１の送信手段を具備している。このようにすることで、請求項５に加えて、前記第１の文字データをリンクボタン付の新たなＵＲＬリンクアドレスである第３のリンクアドレスとして設定する所定の言語形式に従う第１の文字データを含むリンク付きページ情報をユーザの端末装置に伝達し、ユーザの第３のリンクアドレスのアクセスにより第３のリンクアドレスに対応する第２の文字データページ情報を伝達できる。かつ、構成は簡単にできる。
【００１３】請求項７では、インターネットに接続される複数のサーバに格納された所定の言語形式に従うページ情報を受信し表示する端末装置において、予めＵＲＬアドレスとＵＲＬアドレスに対応する略リンクアドレスによって指定する伝達領域を設定し記憶手段に出力する伝達領域設定手段と、前記ＵＲＬアドレスのサーバをアクセスするためのアクセス情報を発生するアクセス情報発生手段と、前記アクセス情報を通信網を介してサーバに送信する送信手段と、前記ＵＲＬアドレスの前記サーバから通信網を介して所定の言語形式に従うページ情報を受信する受信手段と、前記ＵＲＬアドレスと前記ＵＲＬアドレスに対応する前記略リンクアドレスで設定される伝達領域を記憶手段より読出し、前記ページ情報から前記伝達領域の文字データを選択的に抽出し第１の文字データを生成する第１の伝達領域文字抽出手段と、前記第１の文字データを表示情報に変換する変換手段と、表示情報を表示する表示手段と、必要な情報を記憶する記憶手段を具備している。このような端末装置とすることで、端末装置から直接ＵＲＬアドレスにアクセスし、端末装置で前記ＵＲＬアドレスとこれに対応する略リンクアドレスによって設定される伝達領域に対応して第１の文字データを選択的に読み出せるから、情報伝達装置はなくても、サーバのＵＲＬアドレスのページ情報の伝達領域の情報伝達ができる。かつ、サーバのＵＲＬアドレスのページ情報が更新され伝達情報のＸ、Ｙ座標等の掲載位置が変化したとしても、ＵＲＬアドレスと略リンクアドレスで設定される伝達領域を変更することなく選択的に読み出し第１の文字データを端末装置に伝達することがことができる。かつ、構成は簡単にできる。
【００１４】請求項８では、インターネットに接続されるサーバに格納された所定の言語形式に従うページ情報をインターネット或いは携帯電話通信網に接続される複数のユーザの端末装置に伝達するサーバにおいて、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定し記憶手段に出力する伝達領域設定手段と、インターネット或いは携帯電話通信網に接続される端末識別子をもつ端末装置のＵＲＬアドレスへの情報要求信号を受信し、或いは端末装置識別子の端末装置に送信するタイミングを与える送信タイミング信号を受信し登録アドレスを検知し検出登録アドレスを出力する登録アドレス検知手段と、前記検出登録アドレスを受け登録アドレスに対応する前記第２のＵＲＬアドレスを記憶手段より読出し前記第２のＵＲＬアドレスの第１のページ情報を読み出し、かつ、前記登録アドレスに対応する前記第２のＵＲＬアドレスと略リンクアドレスにより設定される伝達領域を読み出し、前記第１のページ情報から前記伝達領域の文字データを選択的に抽出し第１の文字データを生成する第１の伝達領域文字抽出手段と、前記登録アドレスに対応して前記第２のＵＲＬアドレスと略リンクアドレス、及び、これらに対応して前記第１の文字データを記憶し、かつ、前記伝達領域或いはこれに加えて前記情報送付先アドレス、或いは、サーバとしての第１のページ情報等の必要な情報を記憶する記憶手段と、前記第１の文字データを所定の言語形式に従うページ情報或いは電子メール情報である送信伝達情報として変換する情報変換手段と、前記送信伝達情報を前記登録アドレスに対応する端末装置識別子或いは情報送付先端末装置アドレスへインターネット或いは携帯電話通信網を介して送信する送信手段を具備している。このようなサーバとすることで、第２のＵＲＬアドレスが自アドレスであるから、他のサーバにアクセスする必要がなく、情報伝達装置を新たに設置しなくても、前記第１のアドレスに対応する前記第２のＵＲＬアドレスのページ情報から前記第２のＵＲＬアドレスと略リンクアドレスの伝達領域の文字データを選択的に抽出し第１の文字データを生成し、前記第１の文字データをユーザの端末装置に送信することができる。勿論、第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく選択的に読み出し第１の文字データを端末装置に伝達できる。かつ、構成は簡単にできる。
【００１５】請求項９では、インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定記憶するステップと、登録アドレスに対応する伝達領域である前記第２のＵＲＬアドレスのサーバをアクセスし所定の言語形式に従う第１のページ情報を受信するステップと、登録アドレスに対応する前記第２のＵＲＬアドレスと略リンクアドレスによって設定する伝達領域を読出し、前記第１のページ情報から前記伝達領域の文字データを選択的に抽出し第１の文字データを生成するステップと、前記第１の文字データを記憶するステップと、前記第１の文字データの最新データと一つ前のデータを比較し異なる更新情報であることを判別するステップと、更新情報であると判別された前記第１の文字データを前記登録アドレスである端末装置識別子、或いは、前記登録アドレスに対応する情報送付先端末装置アドレスへ送信するステップを具備している。このようにすることで、第１の文字データの中で、変化のあった第１の文字データのみを伝達することも可能である。勿論、第２のＵＲＬアドレスのページ情報が更新され伝達情報のＸ、Ｙ座標等の掲載位置が変化したとしても、第２のＵＲＬアドレスと略リンクアドレスで設定される伝達領域を変更することなく選択的に読み出し第１の文字データを端末装置に伝達できる。かつ、構成は簡単にできる。
【発明の効果】
【００１６】実施例で詳細記述するように、端末装置３のユーザはＵＲＬアドレスをアクセスするのみで、自分の欲しいインターネット４のページ情報を必要な第２のＵＲＬアドレス９Ｂと略リンクアドレス９Ｂ１によって指定する伝達領域だけの情報を抽出し読み出し、コンパクトな情報に短縮し携帯電話通信網５に接続された携帯電話３００等の端末装置３で取得することができるという大きな効果を上げることができる。
【００１７】さらに、ここで、伝達領域は、第２のＵＲＬアドレス９Ｂと略リンクアドレス９Ｂ１によって指定するされるから、ページ情報が更新され伝達情報のＸ、Ｙ座標等の掲載位置が変化したとしても、第２のＵＲＬアドレス９Ｂと略リンクアドレス９Ｂ１が変更されない限り、伝達領域の設定を変えることなく、第１の文字データと対応する文字情報を抽出し伝達することができる。また同様に、第２の文字データにおいて、ページ情報が更新され伝達情報のＸ、Ｙ座標等の掲載位置が変化したとしても、第２のＵＲＬアドレス９Ｂと略リンクアドレス９Ｂ１と文字記号配置の特徴９ＢＴが変わらない限り、第２の文字データを抽出し伝達することができる。通常、第２のＵＲＬアドレス９Ｂと略リンクアドレス９Ｂ１と文字記号配置の特徴９ＢＴは、例えばニュースの記事の内容が全く変わったとしても変化されるものではない。従って、従来の情報配信システムでは、位置座標（Ｘ，Ｙ）による伝達領域が記事の内容の変化に応じて変化し、従来システムがシステムを運用する上で、いちいち内容の変化に応じて変わる位置座標（Ｘ，Ｙ）を修正する必要があり、非常に大きな問題になり、実用性が低かった。これに比べて、本発明では、内容が変わることでは変化することはないから、利便性が従来に比べ極めて高く、実用性が高いという大きな効果がある。さらに、構成が簡単であるという優れた効果がある。
【００１８】また、同時に、必要な情報だけを抽出し、不要な情報を除去し伝達するからインターネット４や携帯電話通信網５の通信伝達効率を高めることができ、通信網への通信量の負担を大幅に軽減でき、かつ、利用者にとっては通信料金を小さくできるという大変優れた効果を上げることができる。
【００１９】即ち、本発明はユーザの端末装置３にユーザの必要とする伝達領域のデータを伝達するシステムの構築に際して、ページ情報の更新等による掲載位置の変化に対し伝達領域を修正することなく対応でき、実用性の高い、通信伝達効率の良く、簡単な構成で、しかも、ユーザの欲しいインターネット４の情報を携帯電話３００、或いは、端末装置３でコンパクトに情報を受信できるという、情報伝達方法、情報伝達装置、端末装置、サーバ、を提供するという極めて優れた効果を上げることができる。
【発明を実施するための最良の形態】
【００２０】以下、本発明の代表的な実施の形態について図面に基づいて説明する。
【実施例１】
【００２１】第１の実施例について説明する。図１、図２、図３、図４を使用して構成について説明する。図１は第１の実施例の全体のシステム構成図である。図２は情報伝達装置１の構成図である。図３は端末装置３の構成図である。図４はサーバ２の構成図である。尚、出力される信号の番号は主要なものにのみ図に記入した。【００２２】全体システムは、携帯電話３００からなる端末装置３と、インターネット４を介して要求されるページ情報をインターネット４を介して送信するサーバ２と、サーバ２とインターネット４を介して及び端末装置３と携帯電話通信網５を介して情報を送受信し情報伝達装置１と、端末装置３と情報伝達装置１を接続する携帯電話通信網５と、サーバ２と情報伝達装置１を接続するインターネット４から構成されている。【００２３】情報伝達装置１、端末装置３、サーバ２には所定の言語形式に従うページ情報をインターネット４を通じて或いは携帯電話通信網５を通じてアクセス或いは伝達或いは表示するためにブラウザー機能を備える。これらのブラウザー機能については、公知であり省略する。また、携帯電話３００の会話伝達機能等の本発明とは関係がない機能は省略する。【００２４】情報伝達装置１は、伝達領域設定手段１０１と、メニューホームページ設定手段１７１と、記憶手段１０２と、第１の受信手段１１１と、第１の受信手段１１１の一部である情報要求信号発生手段１０５と、第１の送信手段１１２と、メニューページ情報生成手段１７２と、サーバアクセス制御手段１３１と、第２の受信手段１２１と、第２の送信手段１２２と、第１の伝達領域文字抽出手段１４１と、リンクアドレス読出手段１４３と、第１のページ情報生成手段１５１と、第２の伝達領域文字抽出手段１４２と、第２のページ情報生成手段１５２を具備し構成される。【００２５】伝達領域設定手段１０１により予めユーザの端末装置３の端末装置識別子３ＡとＵＲＬアドレス９Ａからなる登録アドレスに対応して一つ以上の第２のＵＲＬアドレス９Ｂと略リンクアドレス９Ｂ１と文字記号配置の特徴９ＢＴによって指定する伝達領域を記憶手段１０２に出力し記憶する。【００２６】第１の受信手段１１１は端末装置３からのサービスＵＲＬアドレスアクセス要求信号３２Ａを受けると、サービスＵＲＬアドレス９Ｓを含むサービスＵＲＬアドレス受信要求信号１１１Ａと情報要求した端末装置３の端末装置識別子３Ａを出力し、ＵＲＬアドレスアクセス要求信号３２Ｂを受けると、ＵＲＬアドレス９Ａを含む第１のＵＲＬアドレス受信要求信号１１１Ｂと情報要求した端末装置３の端末装置識別子３Ａを出力し、第３のリンクアドレスアクセス要求信号３２Ｃを受けると、第３のリンクアドレスのＵＲＬアドレスを含む第３のリンクアドレス受信要求信号１１１Ｃと情報要求した端末装置３の端末装置識別子３Ａを出力し、記憶手段１０２とサーバアクセス制御手段１３１に出力する。ここで、情報要求信号発生手段１０５は、第１の受信手段１１１の一部からなり、第１の受信手段１１１で説明し重複するが、ＵＲＬアドレスアクセス要求信号３２Ｂを受け、ＵＲＬアドレス９Ａを含む第１のＵＲＬアドレス受信要求信号１１１Ｂと情報要求した端末装置３の端末装置識別子３Ａを記憶手段１０２とサーバアクセス制御手段１３１に出力する。【００２７】サーバアクセス制御手段１３１はアクセス制御部１３２とアクセス情報発生部１３３からなり、第１のＵＲＬアドレス受信要求信号１１１Ｂをスタート信号としてＵＲＬアドレス９Ａと端末装置３の端末装置識別子３Ａを受け、第２のＵＲＬアドレス９Ｂのサーバ２へアクセスする第１のページ情報要求１３３Ａを発生し、そして、リンクアドレス読出手段１４３からの抽出終了信号１４３Ｂを受けるとリンクアドレス１４３Ａに対応する第２のページ情報要求１３３Ｂを発生しサーバ２へのアクセスを制御する。アクセス制御部１３２は第１のＵＲＬアドレス受信要求信号１１１Ｂをスタート信号として端末装置３の端末装置識別子３ＡとＵＲＬアドレス９Ａを受け、アクセス情報発生部１３３に情報発生命令信号１３２Ａを出力し、アクセス情報発生部１３３は、記憶手段１０２より第１のＵＲＬアドレス受信要求信号１１１Ｂに含まれるＵＲＬアドレス９Ａと端末装置識別子３Ａで決まる登録アドレスに対応する伝達領域である第２のＵＲＬアドレス９Ｂと略リンクアドレス９Ｂ１を読み出し登録アドレスと第２のＵＲＬアドレス９Ｂを含む第１のページ情報要求１３３Ａを発生し第２の送信手段１２２へ出力する。【００２８】尚、ここで、アクセス情報発生部１３３とアクセス制御部１３２は情報の要求と情報の取得において次のような機能を持つ、アクセス情報発生部１３３は、第１のページ情報要求１３３Ａを発生するときは、登録アドレスと第２のＵＲＬアドレス９Ｂとに対応してアクセスフラッグ状態情報を「１」と記憶手段１０２に出力して「アクセスフラッグ状態情報＝１」に記憶する。また、第２のページ情報要求１３３Ｂを発生するときは、登録アドレスと第２のＵＲＬアドレス９Ｂと略リンクアドレス９Ｂ１とリンクアドレス１４３Ａ１に対応するアクセスフラッグ状態情報を「１」に記憶手段１０２に記憶する。これによって、要求信号を発生完了したものが登録アドレスと第２のＵＲＬアドレス９Ｂ、略リンクアドレス９Ｂ１、第１の文字データ１４１Ａ、リンクアドレス１４３Ａに対応してアクセスフラッグ状態情報として記憶することで、要求完了したものがどれに当たるかが、アクセスフラッグ状態情報が「１」かどうかですぐにわかるようにしている。これに対して、要求するページ情報の受信の際には、アクセス制御部１３２は、受信手段１２１からの第１の送付元ＵＲＬアドレス信号１２１Ｌを受けて、第１の送付元ＵＲＬアドレスと一致する第２のＵＲＬアドレス９Ｂをもちかつアクセスフラッグ状態情報が「１」である登録アドレス（ＵＲＬアドレス９Ａと端末装置識別子３Ａ）を含む検出登録アドレス１３２Ｌを検出出力し、登録アドレスと第２のＵＲＬアドレス９Ｂに対応するアクセスフラッグ状態情報を「０」に記憶手段１０２に出力して「アクセスフラッグ状態情報＝０」にセットする。また、アクセス制御部１３２は、受信手段１２１からの第２の送付元ＵＲＬアドレス信号１２１Ｍを受け、記憶手段１０２の記憶データから第２の送付元ＵＲＬアドレスと一致する第２のＵＲＬアドレス９Ｂと略リンクアドレス９Ｂ１とリンクアドレスをもちかつアクセスフラッグ状態情報が「１」である登録アドレスである検出登録アドレス１３２Ｌとリンクアドレスである検出リンクアドレス１３２Ｍを検索出力し、アクセスフラッグ状態情報を「０」に記憶手段１０２に出力して「アクセスフラッグ状態情報＝０」にセットする。ここで、情報の要求と情報の取得においては、要求した情報の登録アドレスや伝達領域、リンクアドレスの判別ができれば、どのようにしてもよい。登録アドレスや伝達領域、リンクアドレスのデータそのものを記憶し、受信したら消去してもよい。（ソフトプログラムによればいろいろな方法が可能である。）【００２９】また、アクセス制御部１３２は、第１の伝達領域文字抽出手段１４１からの抽出終了信号１４１Ｂとリンクアドレス読出手段１４３からの抽出終了信号１４３Ｂを受けると第２のページ情報要求１３２Ｂをアクセス情報発生部１３３に出力する。【００３０】また、アクセス情報発生部１３３は、第２のページ情報要求１３２Ｂを受け、登録アドレスであるＵＲＬアドレス９Ａと端末装置識別子３Ａに対応する伝達領域である第２のＵＲＬアドレス９Ｂと略リンクアドレス９Ｂ１と第１の文字データ１４１Ａに対応づけ記憶されたリンクアドレス１４３Ａを記憶手段１０２から読み出しリンクアドレス１４３Ａと要求発信元である情報装置１の端末アドレス１Ａを含むアクセス情報である第２のページ情報要求１３３Ｂを発生する。【００３１】ここで、第１のページ情報２４Ａの中に第１の文字データ１４１Ａが複数ある場合は、次のようになる。アクセス情報発生部１３３は、登録アドレスと第２のＵＲＬアドレス９Ｂと略リンクアドレス９Ｂ１と第１の文字データ１４１Ａに対応づけ記憶された１番目のリンクアドレス１４３Ａ１のアクセス情報である１番目の第２のページ情報要求１３３Ｂ１を発生する。そして、１番目の第２のページ情報２４Ｂ１をサーバ２より受信し第２の伝達領域文字抽出手段１４２で１番目の第２の文字データ１４２Ａ２が抽出され１番目の抽出終了信号１４２Ｂ１が出力されると、アクセス情報発生部１３３は、２番目のリンクアドレス１４３Ａ２のアクセス情報である２番目の第２のページ情報要求１３３Ｂ２を発生する。同様に順次繰り返し第２のページ情報要求１３３Ｂを発生し、第１の文字データ１４１Ａの最後のＮ番目の第２の文字データ１４２ＡＮが抽出され、Ｎ番目の抽出終了信号１４２ＢＮが出力されると、アクセス情報発生部１３３は、アクセス終了信号１３３Ｃをアクセス制御部１３２に出力する。アクセス制御部１３２は、アクセス終了信号１３３Ｃを受けると第１のＵＲＬアドレス受信要求信号１１１Ｂを受けて動作する情報発生命令信号１３２Ａを始めとする情報取得の一連の動作の終了を検知し、次のステップの動作指令である第１のページ情報生成指令１３２Ｃを第１のページ情報生成手段１５１へ出力し第１の文字データを含むリンク付きページ情報１５１Ｂを生成させる。【００３２】第２の送信手段１２２は、第１のページ情報要求１３３Ａを受け、第２のＵＲＬアドレス９Ｂと情報伝達装置１の端末アドレス１Ａを含む第１のページ情報要求信号１２２Ａをサーバ２へインターネット４を介して送信し、また、第２の送信手段１２２は、第２のページ情報要求１３３Ｂを受けリンクアドレス１４３Ａと情報伝達装置１の端末アドレス１Ａを含む第２のページ情報要求信号１２２Ｂをサーバ２へインターネット４を介して送信する。【００３３】第２の受信手段１２１は、サーバ２から所定の言語形式に従う第１ページ情報送信信号２２Ａを受信し第１の受信ページ情報１２１Ａを第１の伝達領域文字抽出手段１４１とリンクアドレス読出手段１４３へ出力するとともに、第１ページ情報送信信号２２Ａから第１の送付元ＵＲＬアドレスを検知し第１の送付元ＵＲＬアドレス信号１２１Ｌ出力する。また、第２の受信手段１２１は、第２ページ情報送信信号２２Ｂを受信し第２の受信ページ情報１２１Ｂを第２の伝達領域文字抽出手段１４２へ出力するとともに、第２ページ情報送信信号２２Ｂから第２の送付元ＵＲＬアドレスを検知し第２の送付元ＵＲＬアドレス信号１２１Ｍ出力する。【００３４】第１の伝達領域文字抽出手段１４１は、第１の受信ページ情報１２１Ａと登録アドレスを含む検出登録アドレス１３２Ｌを受信し、検出登録アドレス１３２Ｌの登録アドレスと対応する第２のＵＲＬアドレス９Ｂと略リンクアドレス９Ｂ１によって設定される伝達領域を記憶手段１０２から読出し、第１の受信ページ情報１２１Ａから伝達領域の文字を選択的に抽出し略リンクアドレス９Ｂ１に対する第１の文字データ１４１Ａを生成する。第１の文字データ１４１Ａは登録アドレスと第２のＵＲＬアドレス９Ｂと略リンクアドレス９Ｂ１に対応して記憶手段１０２に記憶される。【００３５】リンクアドレス読出手段１４３は、第１の受信ページ情報１２１Ａと検出登録アドレス１３２Ｌを受信し、検出登録アドレス１３２Ｌの登録アドレスと対応する第２のＵＲＬアドレス９Ｂと略リンクアドレス９Ｂ１によって設定される伝達領域を記憶手段１０２から読出し、第１の受信ページ情報１２１Ａから伝達領域のリンクアドレスを選択的に抽出し略リンクアドレス９Ｂ１に対するリンクアドレス１４３Ａを生成する。リンクアドレス１４３Ａは登録アドレスと第２のＵＲＬアドレス９Ｂと略リンクアドレス９Ｂ１と第１の文字データ１４１Ａに対応して記憶手段１０２に記憶される。【００３６】第１のページ情報生成手段１５１は、第１のページ情報生成指令１３２Ｃを受け、第１の文字データ１４１Ａをリンクボタン付の新たなＵＲＬリンクアドレスとしての第３のリンクアドレス１５１Ａを割り付けて設定する所定の言語形式に従う第１の文字データを含むリンク付きページ情報１５１Ｂを生成する。【００３７】第２の伝達領域文字抽出手段１４２は第２の受信ページ情報１２１Ｂと検出登録アドレス１３２Ｌと検出リンクアドレス１３２Ｍを受信し、登録アドレスとリンクアドレスから登録アドレスに対応する第２のＵＲＬアドレス９Ｂと略リンクアドレス９Ｂ１と文字記号配置の特徴９ＢＴにより設定される伝達領域を記憶手段１０２より読出し、第２の受信ページ情報１２１Ｂから文字記号配置の特徴９ＢＴにより設定される伝達領域の文字を選択的に抽出し第２の文字データ１４２Ａを生成する。【００３８】記憶手段１０２は、登録アドレスである端末装置識別子３ＡやＵＲＬアドレス９Ａ、登録アドレスに対応した伝達領域である第２のＵＲＬアドレス９Ｂかつ略リンクアドレス９Ｂ１、リンクアドレス、第１の文字データ１４１Ａや第２の文字データ１４２Ａなど必要なデータを記憶する。【００３９】第１の送信手段１１２は、サービスメニューホームページ情報１７２Ａ受け、サービスメニューホームページ情報１７２Ａと端末装置３の端末装置識別子３Ａと情報伝達装置１の端末アドレス１Ａを含むサービスメニューホームページ送信信号１１２Ａを出力、及び、第１の文字データを含むリンク付きページ情報１５１Ｂを受け、第１の文字データを含むリンク付きページ情報１５１Ｂと端末装置３の端末装置識別子３Ａと情報伝達装置１の端末アドレス１Ａを含む第１の文字データを含むリンク付きページ情報送信信号１１２Ｂを出力、及び、第２の文字データを含むページ情報１５２Ａを受け第２の文字データを含むページ情報１５２Ａと端末装置３の端末装置識別子３Ａと情報伝達装置１の端末アドレス１Ａを含む第２の文字データを含むページ情報送信信号１１２Ｃを出力し、携帯電話通信網５を介して端末装置３へ送信する。【００４０】第２のページ情報生成手段１５２は、第３のリンクアドレス受信要求信号１１１Ｃを受けると第３のリンクアドレス１５１Ａと対応する第２の文字データ１４２Ａを記憶手段１０２から読み出し所定の言語形式に従うページ情報である第２の文字データを含むページ情報１５２Ａを生成出力する。【００４１】端末装置３は、携帯電話３００からなり、携帯電話通信網５からの端末装置３へのサービスメニューホームページ送信信号１１２Ａを受けサービスメニューホームページ情報３１Ａを、第１の文字データを含むリンク付きページ情報送信信号１１２Ｂを受け第３の受信ページ情報３１Ｂを、第２の文字データを含むページ情報送信信号１１２Ｃを受け第２の受信ページ情報３１Ｃを出力する受信手段３１と、サービスＵＲＬアドレスアクセス信号３４Ａを受けサービスＵＲＬアドレスアクセス要求信号３２Ａを、ＵＲＬアドレスアクセス信号３４Ｂを受けＵＲＬアドレスアクセス要求信号３２Ｂを、第３のリンクボタンアドレスアクセス信号３４Ｃを受け第３のリンクアドレスアクセス要求信号３２Ｃを携帯電話通信網５へ送信出力する送信手段３２と、端末装置３の必要なデータを記憶する記憶手段３３と、サービスメニューホームページ情報３１Ａ、第３の受信ページ情報３１Ｂ、第２の受信ページ情報３１Ｃなどの情報を受け人が見て分かるように表示変換し表示する情報表示手段３５と、ユーザが表示画面を見てボタン等の操作により情報を入力する操作入力情報発生手段３４をもち構成される。尚、携帯電話３００は、電話機能等の各種機能を有するが本発明に関係がないので構成から省略している。【００４２】操作入力情報発生手段３４にはボタンで選択位置や文字記号を入力するボタン操作入力部３４３とアクセスボタン部３４２をも備えておりボタン操作入力部３４３で操作しアクセスボタン部３４２によりクリック入力するとＵＲＬアドレスアクセス信号３４Ｂや第３のリンクボタンアドレスアクセス信号３４Ｃなどの操作信号を発生する。また、サービスＵＲＬアドレスをボタン操作入力部３４３で入力しアクセスボタン部３４２によりクリック入力するとサービスＵＲＬアドレスアクセス信号３４Ａなどの操作信号を発生する。【００４３】サーバ２は、インターネット４からのサーバ２への第１のページ情報要求信号１２２Ａを受け第２のＵＲＬアドレス要求信号２１Ａと検出アドレス信号２１Ｂを、第２のページ情報要求信号１２２Ｂを受けリンクアドレス要求信号２１Ｃと検出アドレス信号２１Ｂを出力する受信手段２１と、送受信等やページ情報等の必要なデータを記憶する記憶手段２３と、第２のＵＲＬアドレス要求信号２１Ａにより第２のＵＲＬアドレス９Ｂに対応するページ情報を記憶手段２３から読出し所定の言語形式に従う第１のページ情報２４Ａを、リンクアドレス要求信号２１Ｃによりリンクアドレスに対応するページ情報を記憶手段２３から読出し所定の言語形式に従う第２のページ情報２４Ｂを生成するページ情報生成手段２４と、第１のページ情報２４Ａを受け第１のページ情報送信信号２２Ａを、第２のページ情報２４Ｂを受け第２のページ情報送信信号２２Ｂをインターネット４を介して送信する送信手段２２をもち構成される。【００４４】次に作動について説明する。まず、本作動に入る前の前準備から説明する。はじめに、伝達領城設定手段１０１により端末装置３の端末装置識別子３ＡとＵＲＬアドレス９Ａからなる登録アドレスに対応する伝達領域である一つ以上の第２のＵＲＬアドレス９Ｂと略リンクアドレス９Ｂ１及び第２のＵＲＬアドレス９Ｂの略リンクアドレス９Ｂ１を設定し、これに対応させて第１の文字伝達領域を記憶手段１０２に設定記憶する。【００４５】実施例１では、伝達領域設定手段１０１により、ＵＲＬアドレス９Ａ、端末装置識別子３Ａ、第２のＵＲＬアドレス９Ｂ、略リンクアドレス９Ｂ１を記憶手段１０２に入力設定し、ＵＲＬアドレス９Ａと端末装置識別子３Ａで決定される登録アドレスに対応して第２のＵＲＬアドレス９Ｂと略リンクアドレス９Ｂ１で指定される伝達領域及び第２のＵＲＬアドレス９Ｂの略リンクアドレス９Ｂ１に対応した文字記号配置の特徴９ＢＴから指定される伝達領域を記憶手段１０２に設定記憶する。図５にＵＲＬアドレス９Ａと端末装置識別子３Ａで表される登録アドレスに対応する第２のＵＲＬアドレス９Ｂ、略リンクアドレス９Ｂ１を設定する登録アドレスと伝達領域の記憶説明図を示す。ここで、「」に挟まれた記号が設定される内容である。ＵＲＬアドレス９Ａは「ｈｔｔｐ：／／ｗｗｗ．ｄｅｎｔａｔｕ．ｃｏ．ｊｐ／ｋ／ｓ１／５０００」（図６のお好みニュースに対応している。）と、端末装置識別子３Ａは「０９０３４５５０１２３」と、ＵＲＬアドレス９Ａと端末装置識別子３Ａによって登録アドレスが決定しこれに対応する第２のＵＲＬアドレス９Ｂは「ｈｔｔｐ：／／ｗｗｗ．Ｎｉｋｋｅｉ．ｃｏ．ｊｐ」と、略リンクアドレス９Ｂ１は「／ｎｅｗｓ／ｋｅｉｚａｉ」と、文字記号配置の特徴９ＢＴは「＜！−−ＦＪＺＯＮＥ  ＳＴＡＲＴ  ＮＡＭＥ＝“ＨＯＮＢＵＮ”−−＞、＜」と入力設定し、記憶手段１０２には、ＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」に対して第２のＵＲＬアドレス９Ｂは「ｈｔｔｐ：／／ｗｗｗ．Ｎｉｋｋｅｉ．ｃｏ．ｊｐ」と、略リンクアドレス９Ｂ１は「／ｎｅｗｓ／ｋｅｉｚａｉ」、文字記号配置の特徴９Ｂ��は「＜！−−ＦＪＺＯＮＥ  ＳＴＡＲＴ  ＮＡＭＥ＝“ＨＯＮＢＵＮ”−−＞、＜」が対応付けられ記憶される。さらに、ここでは、ＵＲＬアドレス９Ａ「ｈｔｔｐ：／／ｗｗｗ．ｄｅｎｔａｔｕ．ｃｏ．ｊｐ／ｋ／ｓ１／５０００」は、ドメイン「ｈｔｔｐ：／／ｗｗｗ．ｄｅｎｔａｔｕ．ｃｏ．ｊｐ／ｋ／」として登録されたものと仮定する。また、略リンクアドレス９Ｂ１は「／ｎｅｗｓ／ｋｅｉｚａｉ」ではなく、「ｈｔｔｐ：／／ｗｗｗ．Ｎｉｋｋｅｉ．ｃｏ．ｊｐ／ｎｅｗｓ／ｋｅｉｚａｉ」のように絶対アドレスとして設定しても同様であるのはいうまでもない。【００４６】次に、端末装置３がＵＲＬアドレス９Ａへより容易にアクセスできるよう準備される。メニューホームページ設定手段１７１により情報伝達装置１のサービスＵＲＬアドレス９Ｓ「ｈｔｔｐ：／／ｗｗｗ．ｄｅｎｔａｔｕ．ｃｏ．ｊｐ／ｋ／ｓ１／」にサービスメニューホームページを生成し記憶手段１０２に記憶する。図６にサービスメニューホームページの表示イメージ例を示す。お好みニュース、経済ニュース、国際ニュース、スポーツニュース、についてリンクが設定されている。ここで、お好みニュースのリンクアドレスは「ｈｔｔｐ：／／ｗｗｗ．ｄｅｎｔａｔｕ．ｃｏ．ｊｐ／ｋ／ｓ１／５０００」、経済ニュースは「ｈｔｔｐ：／／ｗｗｗ．ｄｅｎｔａｔｕ．ｃｏ．ｊｐ／ｋ／ｓ１／５００１」、国際ニュースは「ｈｔｔｐ：／／ｗｗｗ．ｄｅｎｔａｔｕ．ｃｏ．ｊｐ／ｋ／ｓ１／５００２」、スポーツニュースは「ｈｔｔｐ：／／ｗｗｗ．ｄｅｎｔａｔｕ．ｃｏ．ｊｐ／ｋ／ｓ１／５００３」、となっている。尚、サービスＵＲＬアドレス９Ｓ「ｈｔｔｐ：／／ｗｗｗ．ｄｅｎｔａｔｕ．ｃｏ．ｊｐ／ｋ／ｓ１／」にサービスメニューホームページを生成しなくても直接端末装置３からＵＲＬアドレス９Ａ「ｈｔｔｐ：／／ｗｗｗ．ｄｅｎｔａｔｕ．ｃｏ．ｊｐ／ｋ／ｓ１／５０００」をアクセスできるようにしても良いのはいうまでもない。ここまでが、準備動作である。以後ユーザが欲しいデータを選択しそのデータを取得する作動を説明する。【００４７】次に、端末装置３はサービスＵＲＬアドレス９Ｓをアクセスし、サービスメニューホームページ情報を取得する。端末装置識別子３Ａ「０９０３４５５０１２３」をもつ端末装置３のユーザは操作入力情報発生手段３４を操作しサービスＵＲＬアドレス９Ｓ「ｈｔｔｐ：／／ｗｗｗ．ｄｅｎｔａｔｕ．ｃｏ．ｊｐ／ｋ／ｓ１／」を入力しアクセスボタン部３４２を押すと操作入力情報発生手段３４はサービスＵＲＬアドレス９Ｓを含むサービスＵＲＬアドレスアクセス信号３４Ａを発生し送信手段３２はこれを受けサービスＵＲＬアドレス９Ｓと端末装置識別子３Ａを含むサービスＵＲＬアドレスアクセス要求信号３２Ａを携帯電話通信網５を介して情報伝達装置１へ送信する。【００４８】第１の受信手段１１１は、サービスＵＲＬアドレスアクセス要求信号３２Ａを受け、サービスＵＲＬアドレス９Ｓを検出し自情報伝達装置宛てであることをチェックし、サービスＵＲＬアドレス９Ｓを含むサービスＵＲＬアドレス受信要求信号１１１Ａを出力し、要求信号を発生した端末装置識別子３Ａを検出出力し記憶手段１０２に記憶する。ここでは、端末装置識別���３Ａは「０９０３４５５０１２３」である。【００４９】メニューページ情報生成手段１７２は、サービスＵＲＬアドレス受信要求信号１１１Ａを受け、サービスＵＲＬアドレス９Ｓのサービスメニューホームページ記憶情報を記憶手段１０２から読み出し、所定の言語形式に従う（ここではＨＴＭＬである）サービスメニューホームページ情報１７２Ａを生成する。【００５０】第１の送信手段１１２は、サービスメニューホームページ情報１７２Ａと記憶手段１０２から要求信号を発生した端末装置識別子３Ａ「０９０３４５５０１２３」を読み出しこれらを含むサービスメニューホームページ送信信号１１２Ａを携帯電話通信網５を介して要求を出した端末装置識別子３Ａ「０９０３４５５０１２３」の端末装置３に送信する。【００５１】端末装置識別子３Ａ「０９０３４５５０１２３」の端末装置３はサービスメニューホームページ情報送信信号１１２Ａを受信手段３１で受信し、サービスメニューホームページ情報３１Ａを記憶手段３３と情報表示手段３５に出力する。情報表示手段３５はＨＴＭＬソースコードのサービスメニューホームページ情報３１Ａを人が見て分かるように表示ページ情報３５Ａに変換し、表示部３５１に表示する。また、サービスメニューホームページ情報３１Ａは記憶手段３３により記憶される。【００５２】次に、ユーザは表示画面を見て欲しいデータを選択し、データの要求信号を発する。操作入力情報発生手段３４からは選択操作用の表示が情報表示手段３５に送られ表示されている。ユーザは情報表示手段３５の表示パネル部に画面上に表示されるサービスメニューを見て、欲しいリンクボタンをボタン操作入力部３４３で選択しアクセスボタン部３４２をクリックする。ここで、お好み情報である「ｈｔｔｐ：／／ｗｗｗ．ｄｅｎｔａｔｕ．ｃｏ．ｊｐ／ｋ／ｓ１／５０００」をクリックする。【００５３】操作入力情報発生手段３４は、選択したリンクボタンのＵＲＬアドレス９Ａ「ｈｔｔｐ：／／ｗｗｗ．ｄｅｎｔａｔｕ．ｃｏ．ｊｐ／ｋ／ｓ１／５０００」へのＵＲＬアドレスアクセス信号３４Ｂを発生し、送信手段３２に出力する。送信手段３２は、リンクボタンのＵＲＬアドレス９Ａと端末装置識別子３Ａを含むＵＲＬアドレスアクセス要求信号３２Ｂを携帯電話通信網５を介してリンクボタンのＵＲＬアドレス９Ａをもつ情報伝達装置１に送信する。ここで、ＵＲＬアドレス９Ａと端末装置識別子３Ａで登録アドレスが決まり、ＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」に対応する第２のＵＲＬアドレス９Ｂは「ｈｔｔｐ：／／ｗｗｗ．Ｎｉｋｋｅｉ．ｃｏ．ｊｐ」、略リンクアドレス９Ｂ１は「／ｎｅｗｓ／ｋｅｉｚａｉ」、文字記号配置の特徴９ＢＴは「＜！−−ＦＪＺＯＮＥ  ＳＴＡＲＴ  ＮＡＭＥ＝“ＨＯＮＢＵＮ”−−＞、＜」である。【００５４】また、ここで、サービスＵＲＬアドレス９Ｓ「ｈｔｔｐ：／／ｗｗｗ．ｄｅｎｔａｔｕ．ｃｏ．ｊｐ／ｋ／ｓ１／」にサービスメニューホームページをアクセスしなくても直接端末装置３から直接ＵＲＬアドレス９Ａへアクセスできるようにしても良い。このようにすれば、前述「次に、端末装置３がＵＲＬアドレス９Ａへより容易にアクセスできるよう準備される。」から、ここに至る作動とこれを成り立たせるためのみに存在する構成は不要である。【００５５】次に、情報伝達装置１の第１の受信手段１１１の情報要求信号発生手段１０５は、端末装置識別子３Ａ「０９０３４５５０１２３」の端末装置３から携帯電話通信網５を介して、ＵＲＬアドレス９Ａ「ｈｔｔｐ：／／ｗｗｗ．ｄｅｎｔａｔｕ．ｃｏ．ｊｐ／ｋ／ｓ１／５０００」を含むＵＲＬアドレス要求信号３２Ｂを受け、ＵＲＬアドレス９Ａ「ｈｔｔｐ：／／ｗｗｗ．ｄｅｎｔａｔｕ．ｃｏ．ｊｐ／ｋ／ｓ１／５０００」を検知しこれを含む第１のＵＲＬアドレス受信要求信号１１１Ｂと情報要求した端末装置３の端末装置識別子３Ａを記憶手段１０２とサーバアクセス制御手段１３１のアクセス制御部１３２に出力する。【００５６】アクセス制御部１３２は、第１のＵＲＬアドレス受信要求信号１１１Ｂを受けると、アクセス情報発生部１３３にＵＲＬアドレス９Ａと端末装置識別子３Ａを含む情報発生命令信号１３２Ａを出力する。アクセス情報発生部１３３は情報発生命令信号１３２Ａを受け、ＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」に対応する第２のＵＲＬアドレス９Ｂ「ｈｔｔｐ：／／ｗｗｗ．Ｎｉｋｋｅｉ．ｃｏ．ｊｐ」、略リンクアドレス９Ｂ１「／ｎｅｗｓ／ｋｅｉｚａｉ」、文字記号配置の特徴９ＢＴ「＜！−−ＦＪＺＯＮＥ  ＳＴＡＲＴ  ＮＡＭＥ＝“ＨＯＮＢＵＮ”−−＞、＜」を記憶手段１０２より読み出し、登録アドレスであるＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」と第２のＵＲＬアドレス９Ｂ「ｈｔｔｐ：／／ｗｗｗ．Ｎｉｋｋｅｉ．ｃｏ．ｊｐ」を含む第１のページ情報要求１３３Ａを発生する。このとき同時に、登録アドレスと第２のＵＲＬアドレス９Ｂに対応してアクセスフラッグ状態情報を「１」と記憶手段１０２に出力して「アクセスフラッグ状態情報＝１」に記憶する。【００５７】第２の送信手段１２２は、第１のページ情報要求１３３Ａを受け、第２のＵＲＬアドレス９Ｂと情報伝達装置１の端末アドレス１Ａを含む第１のページ情報要求信号１２２Ａをサーバ２へインターネット４を介して送信する。【００５８】次に、第２のＵＲＬアドレス９Ｂをもつサーバ２の受信手段２１は第１のページ情報要求信号１２２Ａを受け、第２のＵＲＬアドレス９Ｂと情報伝達装置１の端末アドレス１Ａを検知し第２のＵＲＬアドレス要求信号２１Ａと、端末アドレス１Ａを含む検出アドレス信号２１Ｂを出力する。ここで第２のＵＲＬアドレス９Ｂは「ｈｔｔｐ：／／ｗｗｗ．Ｎｉｋｋｅｉ．ｃｏ．ｊｐ」である。【００５９】ページ情報生成手段２４は第２のＵＲＬアドレス要求信号２１Ａと検出アドレス信号２１Ｂを受け、記憶手段２３に記憶された第２のＵＲＬアドレス９Ｂに対応する第１のページ情報を読み出し、第１のページ情報と端末アドレス１Ａを含む第１のページ情報２４Ａを生成し出力する。【００６０】送信手段２２は、第１のページ情報２４Ａを受け、第１のページ情報��情報伝達装置１の端末アドレス１Ａと第１の送付元ＵＲＬアドレスを含む第１ページ情報送信信号２２Ａを生成し出力しインターネット４を介して情報伝達装置１に送信する。【００６１】第２の受信手段１２１は、第１ページ情報送信信号２２Ａを受信し第１の受信ページ情報１２１Ａを第１の伝達領域文字抽出手段１４１とリンクアドレス読出手段１４３へ出力するとともに、第１の送付元ＵＲＬアドレスを検知し第１の送付元ＵＲＬアドレス信号１２１Ｌをアクセス制御部１３２へ出力する。ここでは、第１の送付元ＵＲＬアドレスは第２のＵＲＬアドレス９Ｂ「ｈｔｔｐ：／／ｗｗｗ．Ｎｉｋｋｅｉ．ｃｏ．ｊｐ」である。【００６２】アクセス制御部１３２は第１の送付元ＵＲＬアドレス信号１２１Ｌを受け、記憶手段１０２の記憶データから第１の送付元ＵＲＬアドレスと一致する第２のＵＲＬアドレス９Ｂをもちかつアクセスフラッグ状態情報が「１」である登録アドレス（ＵＲＬアドレス９Ａと端末装置識別子３Ａ）を含む検出登録アドレス１３２Ｌを検出出力し、登録アドレスと第２のＵＲＬアドレス９Ｂに対応するアクセスフラッグ状態情報を「０」を出力して記憶手段１０２の登録アドレスと第２のＵＲＬアドレス９Ｂに対応する「アクセスフラッグ状態情報＝０」にセットする。ここで、検出登録アドレス１３２ＬはＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」を含んでいる。図７は第１の受信ページ情報１２１Ａの一部の内容を示す説明図である。【００６３】次に、第１の伝達領域文字抽出手段１４１は、検出登録アドレス１３２Ｌと第１の受信ページ情報１２１Ａを受けると、検出登録アドレス１３２Ｌに対応する登録アドレス、ここでは、ＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」、に対応する伝達領域である第２のＵＲＬアドレス９Ｂ「ｈｔｔｐ：／／ｗｗｗ．Ｎｉｋｋｅｉ．ｃｏ．ｊｐ」と略リンクアドレス９Ｂ１「／ｎｅｗｓ／ｋｅｉｚａｉ」を記憶手段１０２から読み出し、第１の受信ページ情報１２１Ａから第２のＵＲＬアドレス９Ｂの略リンクアドレス９Ｂ１「／ｎｅｗｓ／ｋｅｉｚａｉ」によって設定される伝達領域の文字を選択的に読み出し前記略リンクアドレス９Ｂ１に対する第１の文字データ１４１Ａを抽出出力し、記憶手段１０２で記憶される。ここで、第２のＵＲＬアドレスと略リンクアドレスによって指定する伝達領域とは、第２のＵＲＬアドレス９Ｂ「ｈｔｔｐ：／／ｗｗｗ．Ｎｉｋｋｅｉ．ｃｏ．ｊｐ」と略リンクアドレス９Ｂ１「／ｎｅｗｓ／ｋｅｉｚａｉ」から「ｈｔｔｐ：／／ｗｗｗ．Ｎｉｋｋｅｉ．ｃｏ．ｊｐ／ｎｅｗｓ／ｋｅｉｚａｉ」で指定される。尚、略リンクアドレス９Ｂ１が「ｈｔｔｐ：／／ｗｗｗ．Ｎｉｋｋｅｉ．ｃｏ．ｊｐ／ｎｅｗｓ／ｋｅｉｚａｉ」のように第２のＵＲＬアドレス９Ｂ「ｈｔｔｐ：／／ｗｗｗ．Ｎｉｋｋｅｉ．ｃｏ．ｊｐ」のアドレス部分を含める形で記述されるときも第２のＵＲＬアドレスと略リンクアドレスによって指定する伝達領域は、「ｈｔｔｐ：／／ｗｗｗ．Ｎｉｋｋｅｉ．ｃｏ．ｊｐ／ｎｅ��ｓ／ｋｅｉｚａｉ」であることはいうまでもない。【００６４】第１の伝達領域文字抽出手段１４１は、第２のＵＲＬアドレスと略リンクアドレスによって指定する伝達領域で指定される「ｈｔｔｐ：／／ｗｗｗ．Ｎｉｋｋｅｉ．ｃｏ．ｊｐ／ｎｅｗｓ／ｋｅｉｚａｉ」に続く文字データが「＜／ａ＞」こまで抽出されようにように前記伝達領域として特徴付けられている。従って、第７図の第１の受信ページ情報１２１Ａから、「＜ａ  ｈｒｅｆ＝“／ｎｅｗｓ／ｋｅｉｚａｉ／０１１ａ．ｈｔｍ１”ｃｌａｓｓ＝“ｔｘｔ”＞」をスタートとし「＜／ａ＞」までの間の文字データを抽出する。まず、「牛肉小売価格、５週連続で最高値を更新」を１番目の第１の文字データ１４１Ａ１として抽出する。第１の伝達領域文字抽出手段１４１は、さらに、「＜ａ  ｈｒｅｆ＝“／ｎｅｗｓ／ｋｅｉｚａｉ＞」の文字列につづく「＜／ａ＞」までの間の文字データ「音楽ＣＤの逆輸入、５年間禁止」、を２番目の第１の文字データ１４１Ａ２として、「信託銀、財産管理業務などの商品拡充」を３番目の文字データとして抽出する。１番目、２番目、３番目の第１の文字データ１４１Ａ１、１４１Ａ２、１４１Ａ３は、第２のＵＲＬアドレス９Ｂかつ略リンクアドレス９Ｂ１に対応して記憶手段１０２に記憶される。抽出が終了すると抽出終了信号１４１Ｂがアクセス制御部１３２に出力される。【００６５】リンクアドレス読出手段１４３は、第１の受信ページ情報１２１Ａから略リンクアドレス９Ｂ１「／ｎｅｗｓ／ｋｅｉｚａｉ」によって設定される伝達領域の文字を選択的に読み出し前記略リンクアドレス９Ｂ１に対するリンクアドレス１４３Ａを抽出し、記憶手段に１０２に出力し記憶させ、抽出終了信号１４３Ｂをアクセス制御部１３２へ出力する。即ち、１番目のリンクアドレス１４３Ａ１として略リンクアドレスによって指定する伝達領域で指定される「／ｎｅｗｓ／ｋｅｉｚａｉ」をリンクアドレスとして含みこの文字記号列をスタートとするリンクアドレスを抽出する。従って、１番目のリンクアドレス１４３Ａ１は「／ｎｅｗｓ／ｋｅｉｚａｉ／０１１ａ．ｈｔｍｌ」が、２番目のリンクアドレス１４３Ａ２として「／ｎｅｗｓ／ｋｅｉｚａｉ／０１２ａ．ｈｔｍｌ」が、３番目のリンクアドレス１４３Ａ３として「／ｎｅｗｓ／ｋｅｉｚａｉ／０１３ａ．ｈｔｍｌ」が抽出され、それぞれ第２のＵＲＬアドレス９Ｂかつ略リンクアドレス９Ｂ１に対応する１番目、２番目、３番目の第１の文字データ１４１Ａ１、１４１Ａ２、１４１Ａ３と対応して記憶される。【００６６】次に、１番目のリンクアドレス１４３Ａ１のページ情報である第２のページ情報をアクセスする作動に移る。アクセス制御部１３２は、抽出終了信号１４１Ｂと抽出終了信号１４３Ｂを受けると登録アドレスを含む第２のページ情報要求１３２Ｂをアクセス情報発生部１３３に出力する。アクセス情報発生部１３３は、アクセス制御部１３２の第２のページ情報要求１３２Ｂを受け、登録アドレスであるＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」に対応する伝達領域である第２のＵＲＬアドレス９Ｂ「ｈｔｔｐ：／／ｗｗｗ．Ｎ���ｋｋｅｉ．ｃｏ．ｊｐ」と１番目のリンクアドレス１４３Ａ１「／ｎｅｗｓ／ｋｅｉｚａｉ／０１１ａ．ｈｔｍｌ」を記憶手段１０２から読み出し１番目のリンクアドレス１４３Ａ１の絶対アドレスである１番目のリンク絶対アドレス１４３Ａ１Ｚ「ｈｔｔｐ：／／ｗｗｗ．Ｎｉｋｋｅｉ．ｃｏ．ｊｐ／ｎｅｗｓ／ｋｅｉｚａｉ／０１１ａ．ｈｔｍｌ」と情報装置１の端末アドレス１Ａと登録アドレスを含む第２のページ情報要求１３３Ｂ、このときは１番目の第２のページ情報要求１３３Ｂ１を発生する。このとき同時に、登録アドレスと第２のＵＲＬアドレス９Ｂと略リンクアドレス９Ｂ１とリンクアドレス１４３Ａｌに対応するアクセスフラッグ状態情報を「１」（アクセスフラッグ状態情報＝「１」）に記憶手段１０２に記憶する。【００６７】第２の送信手段１２２は、第２のページ情報要求１３３Ｂを受け、１番目のリンクアドレス１４３Ａ１と情報伝達装置１の端末アドレス１Ａを含む第２のページ情報要求信号１２２Ｂを出力しインターネット４を介して１番目のリンク絶対アドレス１４３Ａ１Ｚのサーバ２に送信する。【００６８】１番目のリンク絶対アドレス１４３Ａ１Ｚ「ｈｔｔｐ：／／ｗｗｗ．Ｎｉｋｋｅｉ．ｃｏ．ｊｐ／ｎｅｗｓ／ｋｅｉｚａｉ／０１１ａ．ｈｔｍｌ」をもつサーバ２の受信手段２１は、第２のページ情報要求信号１２２Ｂを受信し、リンクアドレスを含むリンクアドレス要求信号２１Ｃと、端末アドレス１Ａを含む検出アドレス信号２１Ｂを出力する。【００６９】ページ情報生成手段２４はリンクアドレス要求信号２１Ｃと検出アドレス信号２１Ｂを受け、記憶手段２３に記憶された１番目のリンク絶対アドレス１４３Ａ１Ｚの記憶された第２のページ情報を読み出し、第２のページ情報２４Ｂを生成し出力する。【００７０】第８図、第９図、第１０図は、それぞれ１番目のリンク絶対アドレス１４３Ａ１Ｚ、２番目のリンク絶対アドレス１４３Ａ２Ｚ、３番目のリンク絶対アドレス１４３Ａ３Ｚに記憶された第２のページ情報の一部を示す説明図であり、文字記号配置の特徴９ＢＴと第２の文字データを含んでいる。【００７１】送信手段２２は、第２のページ情報２４Ｂと端末アドレス１Ａを含む第２のページ情報送信信号２２Ｂをインターネット４を介して情報伝達装置１に送信する。【００７２】次に、第２の受信手段１２１は、第２ページ情報送信信号２２Ｂを受信し第２の受信ページ情報１２１Ｂを第２の伝達領域文字抽出手段１４２へ出力するとともに、第２の送付元ＵＲＬアドレスを検知し第２の送付元ＵＲＬアドレス信号１２１Ｍをアクセス制御部１３２に出力する。ここで、第２の送付元ＵＲＬアドレスは「ｈｔｔｐ：／／ｗｗｗ．Ｎｉｋｋｅｉ．ｃｏ．ｊｐ／ｎｅｗｓ／ｋｅｉｚａｉ／０１１ａ．ｈｔｍｌ」であり１番目の絶対リンクアドレス１４３Ａ１Ｚと同じである。【００７３】アクセス制御部１３２は第２の送付元ＵＲＬアドレス信号１２１Ｍを受け、記憶手段１０２の記憶データから第２の送付元ＵＲＬアドレスと一致する第２のＵＲＬアドレス９Ｂと略リンクアドレス９Ｂ１とリンクアドレスをもちかつアクセスフラッグ状態情報が「１」である登録アドレスである検出登録アドレス１３２Ｌとリンクアドレスである検出リンクアドレス１３���Ｍを検索出力し、アクセスフラッグ状態情報を「０」に記憶手段１０２に出力して「アクセスフラッグ状態情報＝０」にセットする。検出登録アドレス１３２Ｌは、登録アドレス、ここでは、ＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」である。検出リンクアドレス１３２Ｍは「ｈｔｔｐ：／／ｗｗｗ．Ｎｉｋｋｅｉ．ｃｏ．ｊｐ／ｎｅｗｓ／ｋｅｉｚａｉ／０１１ａ．ｈｔｍｌ」である。【００７４】次に、第２の伝達領域文字抽出手段１４２は、検出登録アドレス１３２Ｌと検出リンクアドレス１３２Ｍと第２の受信ページ情報１２１Ｂを受けると、検出登録アドレス１３２Ｌと検出リンクアドレス１３２Ｍから登録アドレスに対応した伝達領域である第２のＵＲＬアドレス９Ｂと略リンクアドレス９Ｂ１に対応する文字記号配置の特徴９ＢＴ「＜！−−ＦＪＺＯＮＥ  ＳＴＡＲＴ  ＮＡＭＥ＝“ＨＯＮＢＵＮ”−−＞、＜」を記憶手段１０２より読み出し、第２の受信ページ情報１２１Ｂの文字記号配置の特徴により設定される前記伝達領域の文字データを選択的に抽出し第２の文字データ１４２Ａを生成出力する。ここで文字記号配置の特徴９ＢＴは「＜！−−ＦＪＺＯＮＥ  ＳＴＡＲＴ  ＮＡＭＥ＝“ＨＯＮＢＵＮ”−−＞、＜」であり、「＜！−−ＦＪＺＯＮＥ  ＳＴＡＲＴ  ＮＡＭＥ＝“ＨＯＮＢＵＮ”−−＞」をスタートとし、以降の文字データのみをエンドの特徴「＜」がくるまでまでを抽出するように前記伝達領域として文字記号配置の特徴が設定される。このように、第２の伝達領域文字抽出手段１４２は文字記号配置の特徴により設定される前記伝達領域の文字データを選択的に抽出する。従って、抽出される第２の文字データ１４２Ａは、「農水省が１６日発表した２月９−１３日時点の肉類の小売価格調査によると、輸入牛肉（冷蔵ロース）の小売価格は米国でのＢＳＥ（牛海綿状脳症、狂牛病）発生前の昨年１２月第３週と比べて８．７％上昇した。」となる。【００７５】そして、第２の文字データ１４２Ａは、登録アドレスに対応した第２のＵＲＬアドレス９Ｂと略リンクアドレス９Ｂ１により指定される伝達領域に対応したリンクアドレスに対応して記憶される。１番目リンクアドレス１４３Ａ１に対応する１番目の第２の文字データ１４２Ａ１は、「農水省が１６日発表した２月９−１３日時点の肉類の小売価格調査によると、輸入牛肉（冷蔵ロース）の小売価格は米国でのＢＳＥ（牛海綿状脳症、狂牛病）発生前の昨年１２月第３週と比べて８．７％上昇した。」である。【００７６】尚、ここで、文字記号配置の特徴９ＢＴは「＜！−−ＦＪＺＯＮＥ  ＳＴＡＲＴ  ＮＡＭＥ＝“ＨＯＮＢＵＮ”−−＞、＜」であるが、「＜！−−  ＦＪＺＯＮＥ  ＳＴＡＲＴ  ＮＡＭＥ＝“ＨＯＮＢＵＮ”−−＞、＜！−−ＦＪＺＯＮＥ  ＥＮＤ  ＮＡＭＥ＝“ＨＯＮＢＵＮ”−−＞」とし、エンドの特徴を「＜」ではなく、「＜！−−ＦＪＺＯＮＥＥＮＤ  ＮＡＭＥ＝“ＨＯＮＢＵＮ”−−＞」としても、まったく同様に第２の文字データ１４２Ａ１、１４２Ａ２、１４２Ａ３を得ることができるのはいうまでもない。【００７７】さらに、ここで文字記号配置の特徴９ＢＴは、情報を提供するＵＲＬアドレスにより特徴があるが、略リンクアドレスに対しては、同じ特徴を有しているのが通常である。従って、略リンクアドレスごとに文字記号配置の特徴９ＢＴを指定するからほとんどの第２のＵＲＬアドレス９Ｂの第２の受信ページ情報１２１Ｂから第２の文字データ１４２Ａを抽出できる。【００７８】第２の伝達領域文字抽出手段１４２は第２の文字データ１４２Ａ１を抽出出力するとともにアクセス情報発生部１３３へ１番目の抽出終了信号１４２Ｂ１を出力する。【００７９】１番目のリンクアドレス１４３Ａ１のページ情報に続いて、アクセス情報発生部１３３は、２番目のリンクアドレス１４３Ａ２「／ｎｅｗｓ／ｋｅｉｚａｉ／０１２ａ．ｈｔｍｌ」のページ情報をアクセスする。アクセス情報発生部１３３は、１番目の抽出終了信号１４２Ｂ１（抽出終了信号１４２Ｂのひとつである）を受けると、登録アドレスであるＵＲＬアドレス９Ａ「ｈｔｔｐ：／／ｗｗｗ．ｄｅｎｔａｔｕ．ｃｏ．ｊｐ／ｋ／ｓ１／５０００」と端末装置識別子３Ａ「０９０３４５５０１２３」に対応する伝達領域である第２のＵＲＬアドレス９Ｂ「ｈｔｔｐ：／／ｗｗｗ．Ｎｉｋｋｅｉ．ｃｏ．ｊｐ」と１番目の次の２番目のリンクアドレス１４３Ａ２「／ｎｅｗｓ／ｋｅｉｚａｉ／０１２ａ．ｈｔｍｌ」を記憶手段１０２から読み出し、２番目のリンク絶対アドレス１４３Ａ２Ｚ「ｈｔｔｐ：／／ｗｗｗ．Ｎｉｋｋｅｉ．ｃｏ．ｊｐ／ｎｅｗｓ／ｋｅｉｚａｉ／０１２ａ．ｈｔｍｌ」と情報装置１の端末アドレス１Ａを含むアクセス情報である第２のページ情報要求１３３Ｂを発生する。このとき同時に、登録アドレスと第２のＵＲＬアドレス９Ｂと略リンクアドレス９Ｂ１とリンクアドレス１４３Ａ２に対応するアクセスフラッグ状態情報を「１」（アクセスフラッグ状態情報＝「１」）に記憶する。【００８０】第２の送信手段１２２は、第２のページ情報要求１３３Ｂを受け、２番目のリンク絶対アドレス１４３Ａ２Ｚと情報伝達装置１の端末アドレス１Ａを含む第２のページ情報要求信号１２２Ｂを出力しインターネット４を介して２番目のリンク絶対アドレス１４３Ａ２Ｚのサーバ２に送信する。【００８１】以降の２番目の第２の文字データ１４２Ａ２と３番目の第２の文字データ１４２Ａ３の抽出に至る作動は、１番目の第２の文字データ１４２Ａ１と同様であり、記述を省略する。【００８２】このようにして、１番目、２番目、３番目の第２の文字データ１４２Ａ１、１４２Ａ２、１４２Ａ３、が、第２の伝達領域文字抽出手段１４２によって、抽出される。ここで２番目の第２の文字データ１４２Ａ２は、「文化庁は音楽ＣＤなどの海外専用版の日本への逆輸入を、海外発売から一定期間に限り差し止められる制度を導入する。現地の物価水準に合わせて発売される安価な海外版が国内に流入しにくくなるため、レコード会社は海外市場を開拓しやすくなる。」であり、第３番目の文字データ１４２Ａ３は、「信託銀行が貸付信託に代表される企業向け長期融資を縮小し、年金信託など信託機能を活用した財産管理業務へと移行している。ＵＦＪ信託銀行とみずほ信託銀行は２００４年３月決算で財産管理業務の利益が初めて銀行業務を上回るもようだ。」である。【００８３】また、それぞれの２番目、３番目の第２の文字データ１４２Ａ２、１４２Ａ３は、登録アドレスに対応した第２のＵＲＬアドレス９Ｂと略リンクアドレス９Ｂ１に対応した２番目のリンクアドレス１４３Ａ２、３番目のリンクアドレス１４３Ａ３に対応して記憶される。【００８４】第２の伝達領域文字抽出手段１４２は３番目の第２の文字データ１４２Ａ３を抽出出力とともにアクセス情報発生部１３３へ３番目の抽出終了信号１４２Ｂ３を出力する。アクセス情報発生部１３３は抽出終了信号１４２Ｂ３を受け、３番目の次の４番目のリンクアドレス１４３Ａ４を記憶手段１０２から読み出そうとするが、４番目のリンクアドレス１４３Ａ４は設定されていないので、アクセスの終了を意味するアクセス終了信号１３３Ｃをアクセス制御部１３２に出力する。【００８５】アクセス制御部１３２は、アクセス終了信号１３３Ｃを受けると第１のＵＲＬアドレス受信要求信号１１１Ｂを受けて動作する情報発生命令信号１３２Ａを始めとする情報取得の動作の終了を検知し、次のステップの動作指令である第１のページ情報生成指令１３２Ｃを出力する。【００８６】第１のページ情報生成手段１５１は、第１のページ情報生成指令１３２Ｃを受けると、登録アドレスに対応する第２のＵＲＬアドレス９Ｂと略リンクアドレス９Ｂ１で指定される伝達領域の第１の文字データ１４１とリンクアドレス１４３Ａを記憶手段１０２から読み出し第１の文字データ１４１に対する１番目、２番目、３番目のリンクアドレス１４３Ａ１、１４３Ａ２、１４３Ａ３に変わり、リンクボタン付きの新たなＵＲＬリンクアドレスとして第３のリンクアドレス１５１Ａを設定した新たなページ情報、すなわち、１番目、２番目、３番目のリンクアドレス１４３Ａ１、１４３Ａ２、１４３Ａ３にかわり、新たな１番目、２番目、３番目の第３のリンクアドレス１５１Ａ１、１５１Ａ２、１５１Ａ３をリンクアドレスとして設定する新たなページ情報である所定の言語形式に従う第１の文字データを含むリンク付きページ情報１５１Ｂを生成し、登録アドレス「ｈｔｔｐ：／／ｗｗｗ．ｄｅｎｔａｔｕ．ｃｏ．ｊｐ／ｋ／ｓ１／５０００／０９０３４５５０１２３」とともに対応して出力する。また、記憶手段１０２に登録アドレスと対応して記憶する。図１１は第１の文字データを含むリンク付きページ情報１５１Ｂの表示例を示す表示イメージ図である。ここで、１番目の第１の文字データ１４１Ａ１である「牛肉小売価格、５週連続で最高値を更新」の１番目の第３のリンクアドレス１５１Ａ１は「ｈｔｔｐ：／／ｗｗｗ．ｄｅｎｔａｔｕ．ｃｏ．ｊｐ／ｋ／ｓ１／５０００／０９０３４５５０１２３／０１」、２番目の第１の文字データ１４１Ａ２である「音楽ＣＤの逆輸入、５年間禁止」の２番目の第３のリンクアドレス１５１Ａ２は「ｈｔｔｐ：／／ｗｗｗ．ｄｅｎｔａｔｕ．ｃｏ．ｊｐ／ｋ／ｓ１／５０００／０９０３４５５０１２３／０２」、３番目の第１の文字データ１４１Ａ３である「信託銀、財産管理業務などの商品拡充」の３番目の第３のリンクアドレス１５１Ａ３は「ｈｔｔｐ：／／ｗｗｗ．ｄｅｎｔａｔｕ．ｃｏ．ｊｐ／ｋ／ｓ１／５０００／０９０３４５５０１２３／０３」である。また、端末装置識別子３Ａは「０９０３４５５０１２３」である。このように、ここでは、１番目、２番目、３番目の第３のリンクアドレス１５１Ａ１、１５１Ａ２、１５１Ａ３は、登録アドレスとリンクの番号に対応し決定され、記憶されている。【００８７】第１の送信手段１１２は、第１の文字データを含むリンク付きページ情報１５１Ｂと登録アドレスを受け、登録アドレスＡに対応する端末装置識別子３Ａと第１の文字データを含むリンク付きページ情報１５１Ｂを含んだ第１の文字データを含むリンク付きページ情報送信信号１１２Ｂを携帯電話通信網５を介して「０９０３４５５０１２３」の端末装置識別子３Ａをもつ端末装置３に送信する。【００８８】次に、「０９０３４５５０１２３」の端末装置識別子３Ａをもつ端末装置３の受信手段３１は、第１の文字データを含むリンク付きページ情報送信信号１１２Ｂを受け、第３の受信ページ情報３１Ｂを出力する。【００８９】情報表示手段３５は、第３の受信ページ情報３１Ｂを受け、第１の文字データを含むリンク付きページ情報からユーザに見えるように表示ページ情報３５Ｂに変換し情報表示手段３５の表示部３５１に図１１に表示する。このようにユーザは、第１の文字データ１４１Ａを手に入れ見ることができる。【００９０】また、ユーザは表示画面を見て、さらに詳しい情報を必要とする表示データに対してそのリンクである第３のリンクボタンを操作入力情報発生手段３４のボタン操作入力部３４３で操作しアクセスボタン部３４２によりクリック入力する。ここでは、選択した第３のリンクボタンアドレスは１番目の第３のリンクアドレス１５１Ａ１「ｈｔｔｐ：／／ｗｗｗ．ｄｅｎｔａｔｕ．ｃｏ．ｊｐ／ｋ／ｓ１／５０００／０９０３４５５０１２３／０１」であったとする。【００９１】操作入力情報発生手段３４はアクセスボタン部３４２のクリック信号を受信すると、１番目の第３のリンクアドレス１５１Ａ１を含む第３のリンクボタンアドレスアクセス信号３４Ｃを発生する。【００９２】送信手段３２は、第３のリンクボタンアドレスアクセス信号３４Ｃを受信すると、１番目の第３のリンクアドレス１５１Ａ１と自端末装置識別子３Ａ「０９０３４５５０１２３」を含む第３のリンクアドレスアクセス要求信号３２Ｃを発生し、携帯電話通信網５を介して情報伝達装置１に送信する。【００９３】次に、情報伝達装置１の第１の受信手段１１１は、第３のリンクアドレスアクセス要求信号３２Ｃを受け、自情報装置１の端末アドレス１Ａ宛てである１番目の第３のリンクアドレス１５１Ａ１「ｈｔｔｐ：／／ｗｗｗ．ｄｅｎｔａｔｕ．ｃｏ．ｊｐ／ｋ／ｓ１／５０００／０９０３４５５０１２３／０１」を検出し第３のリンクアドレス受信要求信号１１１Ｃを第２のページ情報生成手段１５２に出力する。また、要求した端末装置の端末装置識別子３Ａ「０９０３４５５０１２３」を検出し、第３のリンクアドレス受信要求信号１１１Ｃに含ませ出力される。また、登録アドレス内の端末装置識別子３Ａと等しいかをチェックする。等しくない場合は、要求信号は無効とみなされ以降の作動は実施されない。この場合は等しいので、第２のページ情報生成手段１５２は、第３のリンクアドレス受信要求信号１１１Ｃを受けると記憶手段１０２より１番目の第３のリンクアドレス１５１Ａ１「ｈｔｔｐ：／／ｗｗｗ．ｄｅｎｔａｔｕ．ｃｏ．ｊｐ／ｋ／ｓ１／５０００／０９０３４５５０１２３／０１」に対応した１番目の第２の文字データ１４２Ａ１を読出し、１番目の第２の文字データ１４２Ａ１を含み所定の言語形式に従うページ情報である第２の文字データを含むページ情報１５２Ａを生成出力する。尚、図１２にその表示イメージを示す。【００９４】第１の送信手段１１２は、第２の文字データを含むページ情報１５２Ａを受け、第２の文字データを含むページ情報１５２Ａと端末装置識別子３Ａ「０９０３４５５０１２３」を含んだ第２の文字データを含むページ情報送信信号１１２Ｃを携帯電話通信網５を介して端末装置３に送信する。【００９５】次に、端末装置識別子３Ａ「０９０３４５５０１２３」をもつ端末装置３の受信手段３１は、第２の文字データを含むページ情報送信信号１１２Ｃを受け、第２の受信ページ情報３１Ｃを出力する。【００９６】情報表示手段３５は、第２の受信ページ情報３１Ｃを受け、第２の文字データを含むページ情報をユーザに見えるように表示ページ情報３５Ｃに変換し情報表示手段３５の表示部３５１に表示する。このようにして、１番目の第２の文字データ１４２Ａ１を取得し見ることができる。表示イメージを図１２に示す。ユーザは表示画面を見て、さらに必要とする情報があれば、ブラウザの「戻り」等の操作も可能で、再び操作入力情報発生手段３４のボタン操作入力部３４３で操作しアクセスボタン部３４２によりクリックし第３のリンクアドレスの２番目や３番目の第２の文字データ情報を同様に得ることができる。【００９７】尚、表示された表示ページ情報３５Ｃ内に「戻り」や「次の第２の文字データ」などの表示のためにＨＴＭＬ言語によるリンクボタンの設定をしても容易にできる。ここでは、発明に関係が薄いので省略する。【００９８】また、ＵＲＬアドレス９Ａと端末装置識別子３Ａの登録アドレスに対応する第２のＵＲＬアドレス９Ｂや略リンクアドレス９Ｂ１は任意のＵＲＬアドレスを設定でき、ニュースやイベント、商品情報など色々なＵＲＬアドレスのページ情報の中から好きな情報を抽出し読み出すことができることはいうまでもない。【００９９】即ち、端末装置３のユーザはサービスＵＲＬアドレス９Ｓをアクセスして選択する或いは直接特定のＵＲＬアドレス９Ａをアクセスするのみで、自分の欲しいインターネット４のページ情報を必要な第２のＵＲＬアドレス９Ｂと略リンクアドレス９Ｂ１及び文字記号配置の特徴９ＢＴによって指定する伝達領域だけの情報を抽出し読み出し、コンパクトな情報に短縮し携帯電話通信網５である携帯電話３００で取得することができるという大きな効果を上げることができる。【０１００】さらに、ここで、伝達領域は、第２のＵＲＬアドレス９Ｂと略リンクアドレス９Ｂ１によって指定するされるから、ページ情報が変更されて、掲載位置が変わってもも第２のＵＲＬアドレス９Ｂと略リンクアドレス９Ｂ１と文字記号配置の特徴９ＢＴが変更されない限り、伝達領域の設定を変えることなく、必要とする第１の文字データ１４１Ａ及び第２の文字データ１４２Ａを抽出することができる。
【その他の実施例の１】
【０１０１】また、第１の実施例では、お好みニュースの伝達領域を一つの第２のＵＲＬアドレス９Ｂとしたが、そうではなく、登録アドレスに対し予め設定される第２のＵＲＬアドレスの数を複数設定しておき、順次アクセスするようにすれば、複数としても良いことは言うまでもない。例えば、一つのＵＲＬアドレス９Ａ「ｈｔｔｐ：／／ｗｗｗ．ｄｅｎｔａｔｕ．ｃｏ．ｊｐ／ｋ／ｓ１／５０００」に対応して、１番目の第２のＵＲＬアドレス９Ｂは「ｈｔｔｐ：／／ｗｗｗ．Ｎｉｋｋｅｉ．ｃｏ．ｊｐ」、１番目の略リンクアドレス９Ｂ１は「／ｎｅｗｓ／ｋｅｉｚａｉ」、１番目の文字記号配置の特徴９ＢＴは「＜！−−ＦＪＺＯＮＥ  ＳＴＡＲＴ  ＮＡＭＥ＝“ＨＯＮＢＵＮ”−−＞、＜」とする。また、２番目の第２のＵＲＬアドレス９Ｂは「ｈｔｔｐ：／／ｗｗｗ．ｙｏｍｉｕｒｉ．ｃｏ．ｊｐ」、であるが、この第１のページ情報のリンクアドレスの特徴と第２のページ情報の文字配置特徴を予め把握しておき、その特徴にあわせて、２番目の略リンクアドレス９Ｂ１は「／ｓｒｏｒｔｓ／ｎｅｗｓ」、２番目の文字記号配置の特徴９ＢＴは「＜！−−  ｈｏｎｂｕｎ  ｓｔａｒｔ  −−＞＜Ｐ＞、＜！−−  ｈｏｎｂｕｎ  ｅｎｄ  −−＞」と設定する。同じく３番目の第２のＵＲＬアドレス９Ｂは「ｈｔｔｐ：／／ｗｗｗ．ａｓａｈｉ．ｃｏｍ」に対しても同様に特徴を把握し特徴にあった２番目の略リンクアドレス９Ｂ１は「／ｉｎｔｅｒｎａｔｉｏｎａｌ／ｕｐｄａｔｅ」、３番目の文字記号配置の特徴９ＢＴ「＜！−−ＦＪＺＯＮＥ  ＳＴＡＲＴ  ＮＡＭＥ＝“ＨＯＮＢＵＮ”−−＞、＜！−−ＦＪＺＯＮＥ  ＥＮＤ  ＮＡＭＥ＝“ＨＯＮＢＵＮ”−−＞」、と設定する。４番目は設定記憶なし（空スペース）と設定する。このようにしておき、順次、１番目、２番目、３番目の第２のＵＲＬアドレス９Ｂと略リンクアドレス９Ｂ１の伝達領域から、第１の文字データ１４１Ａとリンクアドレスを、そして、文字記号配置の特徴９ＢＴから第２の文字データ１４２Ａを読出し端末装置３へ送信すれば、多くの第２のＵＲＬアドレス９Ｂと略リンクアドレス９Ｂ１の第１の文字データ１４１Ａとリンクアドレス１４３Ａに対応する第２の文字データ１４２Ａを一度に伝達することができる。尚、このとき４番目の設定がない（空スペース）ことで、第１の文字データ１４１Ａの抽出読出しを終了させることになる。また、３番目の文字記号配置の特徴９ＢＴ「＜！−−ＦＪＺＯＮＥ  ＳＴＡＲＴ  ＮＡＭＥ＝“ＨＯＮＢＵＮ”−−＞、＜！−−ＦＪＺＯＮＥ  ＥＮＤ  ＮＡＭＥ＝“ＨＯＮＢＵＮ”−−＞」、は「＜！−−ＦＪＺＯＮＥ  ＳＴＡＲＴ  ＮＡＭＥ＝“ＨＯＮＢＵＮ”−−＞」の配列を第２の文字データ抽出のスタートとし、「＜！−−ＦＪＺＯＮＥ  ＥＮＤ  ＮＡＭＥ＝“ＨＯＮＢＵＮ”−−＞」の配列をエンドとする間の文字を抽出する。第２のＵＲＬアドレス９Ｂによってページ情報の記述の特徴は異なるので、第２のＵＲＬアドレス９Ｂに応じて、略リンクアドレス９Ｂ１や文字記号配置の特徴９ＢＴを設定する。文字記号配置の特徴９ＢＴでは、抽出する文字の始めと終わりの標記の特徴を設定する。このようにすれば、お好みニュースを選択するのみで、莫大な種類と量のページ情報の中から必��な情報を選りすぐリコンパクトにまとめた形で一度に伝達することができる。
【その他の実施例の２】
【０１０２】また、第１の実施例では、ＵＲＬアドレス９Ａと端末装置識別子３Ａに対応して第２のＵＲＬアドレス９Ｂと略リンクアドレス９Ｂ１と第２の文字伝達領域を設定記憶しているがそうではなく、ＵＲＬアドレス９Ａをアクセスしたとき、端末装置識別子３Ａに関係なくＵＲＬアドレス９Ａに対応して第２のＵＲＬアドレス９Ｂと略リンクアドレス９Ｂ１と第２の文字伝達領域を設定記憶しても良いことは言うまでもない。このときは、ＵＲＬアドレス９Ａという登録アドレスに対応する第２のアドレスと略リンクアドレス９Ｂ１と文字記号配置の特徴９ＢＴが決まり、ＵＲＬアドレス９Ａにアクセスする端末装置３のと端末装置識別子３Ａに関係なく、伝達領域は同じで、同じ第１の文字データ１４１Ａと第２の文字データ１４２Ａを抽出し伝達することになる。
【その他の実施例の３】
【０１０３】また、第１の実施例では、第１の文字データ１４１Ａや第２の文字データ１４２Ａの送付先は情報要求信号を発生した端末装置識別子３Ａに送信しているが、そうではなく、図１３に示すように、予め端末装置識別子３Ａに対応した情報送付先アドレスを第２のアドレスと略リンクアドレス９Ｂ１と第２の文字伝達領域とともに設定記憶しておき、端末装置識別子３Ａに対応した情報送付先アドレスの端末装置３に送信してもよい。このような使用形態は、例えば、携帯電話等の端末装置３を送信用と受信用に使い分けたりする場合にとくに有効である。図１３にＵＲＬアドレス９Ａで表される登録アドレスに対応する第２のＵＲＬアドレス９Ｂ、略リンクアドレス９Ｂ１、文字記号配置の特徴９ＢＴと情報送付先アドレスの対応を説明するための説明図である。
【その他の実施例の４】
【０１０４】また、第１の実施例では、第１のページ情報生成手段１５１は、第１の文字データ１４１Ａをリンクボタン付の新たなＵＲＬリンクアドレスとしての第３のリンクアドレス１５１Ａを割り付けて設定する所定の言語形式に従う第１の文字データを含むリンク付きページ情報１５１Ｂを生成したが、そうではなく、第１のページ情報生成手段１５１０とし、第３のリンクアドレス１５１Ａはなしとし第１の文字データ１４１Ａを含む所定の言語形式に従う第１の文字データを含むページ情報１５１Ｘを生成してもよい、このときは、第１の文字データ１４１Ａさえ抽出すれば第２の文字データの抽出の作動は不要であり、第１の文字データ１４１Ａから所定の言語形式に従う第１の文字データを含むページ情報１５１Ｘを生成し記憶手段１０２に登録アドレスと対応して記憶する。そうすることで、第１の文字データ１４１Ａのみを情報伝達させることになる。このようにすれば、第２のページ情報の抽出、リンクアドレスの抽出は不要であり、情報伝達システムがより簡単になる。
【その他の実施例の５】
【０１０５】また、第１の実施例では、第１の送信手段１１２は、第１の文字データ１４１Ａと第２の文字データ１４２Ａを携帯電話通信網５の端末装置３のＵＲＬアドレス９Ａへのアクセスへの応答として所定の言語形式に従うページ情報として返信したが、そうではなく、図１４に構成を示すように、電子メール形式で応答を返すこともできる。図１４は、情報伝達装置１の一部の構成を示す一部構成図、第１５図は電子メール情報の表示イメージ図である。ここで、端末装置３の電子メールアドレス３Ｂは予め登録アドレスであるＵＲＬアドレス９Ａと端末装置識別子３Ａと対応した情報送付先アドレスとして電子メールアドレス３Ｂを設定記憶する。
【０１０６】登録アドレスに対応する第１の文字データ１４１Ａと対応する第２の文字データ１４２Ａを抽出後、第１のページ情報生成手段１５１や第２のページ情報生成手段１５２で伝達情報を生成するのではなく、電子メール変換手段１５１５によって、抽出した第１の文字データ１４１Ａとこれと対応する第２の文字データ１４２Ａを電子メール情報型の電子メール情報１５１５Ａとし変換出力する。アクセス制御部１３２は第１のページ情報生成指令１３２Ｃを電子メール変換手段１５１５に出力し、電子メール変換手段１５１５は第１のページ情報生成指令１３２Ｃを受けて電子メール情報１５１５Ａを生成する。第１の送信手段１１２は、電子メール情報１５１５Ａと登録アドレスに対応する情報送付先アドレスである電子メールアドレス３Ｂを受け、第１と第２の文字データを含む電子メール情報送信信号１１２Ｄを電子メールアドレス３Ｂの端末装置３へ携帯電話網５を介して送信する。電子メールアドレス３Ｂの端末装置３は第１と第２の文字データを含む電子メール情報送信信号１１２Ｄを受信し、電子メール情報として図１５のように、登録アドレスに対応する第１の文字データ１４１Ａと対応する第２の文字データ１４２Ａを表示し見ることができる。
【その他の実施例の６】
【０１０７】また、第１の実施例では、情報の要求を発生するタイミングは、端末装置３からのＵＲＬアドレス９Ａ「ｈｔｔｐ：／／ｗｗｗ．ｄｅｎｔａｔｕ．ｃｏ．ｊｐ／ｋ／ｓ１／５０００」のアクセス要求を情報要求信号発生手段１０５が受信し第１のＵＲＬアドレス受信要求信号１１１Ｂを発生したときであるが、そうではなく、図１６に示す情報伝達装置１のように、情報要求信号発生手段１０５を送信タイミング発生手段１０６とし記憶手段１０２に記憶された端末装置識別子３Ａに対応する所定の定刻の時間、或いは、所定の時間周期を読出し、読み出した時間や時間周期で自動的に端末装置識別子３Ａに対応する第２のアドレスと略リンクアドレス９Ｂ１への第１のＵＲＬアドレス受信要求信号１０６Ｂを発生し、第１のＵＲＬアドレス受信要求信号１０６Ｂを端末装置識別子３Ａとともにアクセス制御部１３２へ出力するようにしてもよい。ここでは、端末装置識別子３Ａは電子メールアドレス３Ｂであり、アクセス制御部１３２へ出力する電子メールアドレス３Ｂに対応して第２のアドレスと略リンクアドレス９Ｂ１と第２の文字伝達領域を設定記憶することになる。第１の文字データと第２の文字データは、電子メール情報として電子メールアドレス３Ｂである端末装置識別子３Ａに送信される。図１６は情報伝達装置１の一部構成図である。
【その他の実施例の７】
【０１０８】その他の実施例の７を第２の実施例と呼称する。第１の実施例では情報伝達装置１によって情報を伝達したが、そうではなく、第２の実施例は、第１の文字データの抽出機能を端末装置３０に具備したものである。従って、情報伝達装置１は不要で、情報の伝達は、サーバ２と端末装置３０の間で行われる。この事例では、サーバ２と端末装置３０は携帯電話通信網５を介して接続され、ブラウザ機能を具備している。その他の実施例の７、第２の実施例のシステム構成を図１７に示す。尚、第１の実施例と同様な部分、例えば、サーバ２などは記述を省略する。
【０１０９】端末装置３０は、予めＵＲＬアドレスとＵＲＬアドレスに対応する略リンクアドレスによって指定する伝達領域を設定し記憶手段３０３に出力する伝達領域設定手段３１２と、ＵＲＬアドレス９Ａのサーバ２をアクセスするためのアクセス情報を発生するアクセス情報発生手段３１１と、アクセス情報を携帯電話通信網５を介してサーバに送信する送信手段３０２と、前記ＵＲＬアドレス９Ａのサーバ２から携帯電話通信網５を介して所定の言語形式に従うページ情報を受信する受信手段３０１と、前記ＵＲＬアドレス９Ａと前記ＵＲＬアドレス９Ａに対応する略リンクアドレス９Ｂ１で設定される伝達領域を記憶手段３０３より読出し、前記ページ情報から前記伝達領域の文字データを選択的に抽出し第１の文字データを生成する第１の伝達領域文字抽出手段３０６と、前記第１の文字データを表示情報に変換する変換手段３０７と、表示情報を表示する表示手段３０５と、必要な情報を記憶する記憶手段３０３と端末装置３０を携帯電話等として使用する際の操作入力情報発生手段３０４を具備している。
【０１１０】伝達領域設定手段３１２は操作入力部３１２１と情報発生部３１２２をもち、操作入力部３１２１は操作ボタン部３１２１１とアクセスボタン３１２１２部を具備している。予め、操作ボタン部３１２１１を操作し、ＵＲＬアドレス９Ａと、ＵＲＬアドレス９Ａからなる登録アドレスに対応する第２のＵＲＬアドレス９Ｂと略リンクアドレス９Ｂ１を入力することで、設定情報が情報発生部３１２２から発生され記憶手段３０３に記憶される。ここで、ＵＲＬアドレス９Ａと第２のＵＲＬアドレス９Ｂは常に同じに設定される。即ち、第２のＵＲＬアドレス９ＢはＵＲＬアドレス９Ａであり、ＵＲＬアドレス９Ａのみとしても良いが、第１の実施例との対比上説明を分かりやすくするためにあえて第２のＵＲＬアドレス９Ｂも入れて説明を加えている。
【０１１１】また、アクセス情報発生手段３１１は操作入力部３１１１と情報発生部３１１２をもち、操作入力部３１１１は操作ボタン部３１１１１とアクセスボタン部３１１１２を具備している。ユーザが操作ボタン部３１１１１を操作しＵＲＬアドレス９Ａを設定しアクセスボタン３０４２部を押すと、情報発生部３１１２は、ＵＲＬアドレス９Ａに対応する第２のＵＲＬアドレス９Ｂ即ちこの場合ＵＲＬアドレス９Ａをもつサーバ２へのアクセス情報であるＵＲＬアドレスアクセス信号３１１Ａを発生し、送信手段３０２に出力する。
【０１１２】送信手段３０２は、ＵＲＬアドレス９Ａと端末装置識別子３０Ａを含むＵＲＬアドレスアクセス要求信号３０２Ａを携帯電話通信網５を介してＵＲＬアドレス９Ａをもつサーバ２に送信する。サーバ２はＵＲＬアドレス９Ａに対応する所定の言語形式に従うページ情報をページ情報生成手段２４により生成し端末装置３０へ送信するがその作動は第１の実施例と同様であり詳細は省略する。
【０１１３】受信手段３０１は、ＵＲＬアドレス９Ａのサーバ２から所定の言語形式に従うページ情報を受信しＵＲＬアドレス９Ａと第１の受信ページ情報を出力する。
【０１１４】第１の伝達領域文字抽出手段３０６は、第１の受信ページ情報を受けて、ＵＲＬアドレス９Ａからなる登録アドレスに対応してＵＲＬアドレス９Ａと同じである第２のＵＲＬアドレス９Ｂと略リンクアドレス９Ｂ１を記憶手段より読出し、第１の受信ページ情報からＵＲＬアドレス９Ａと同じである第２のＵＲＬアドレス９Ｂと略リンクアドレス９Ｂ１によって設定される伝達領域の文字を選択的に抽出し第１の文字データを生成する。
【０１１５】変換手段３０７は、読み出した第１の文字データを表示情報に変換する。
【０１１６】尚、操作入力情報発生手段３０４はユーザが操作入力部３０４１の操作ボタン部３０４１１やアクセスボタン３０４１２部の操作により情報を入力すると情報発生部３０４２から操作に対応する情報を発生する。
【０１１７】作動を説明する。尚、第１の実施例と同様なところは省略している。端末装置３０のユーザは、準備操作として予め操作入力部３１２１を操作し、ＵＲＬアドレス９Ａに対応する略リンクアドレス９Ｂ１によって指定する伝達領域を記憶手段３０３に設定記憶する。
【０１１８】端末装置３のユーザは、ブラウザー機能により情報表示手段３０５に表示される表示画面を見ながら、画面のインターネットアクセスであるアドレス欄に操作入力部３１１１の操作ボタン部３１１１１を操作し、インターネット上の欲しいデータのＵＲＬアドレスを設定しアクセスボタン部３１１１２を押す。情報発生部３１１２はＵＲＬアドレス９Ａと端末装置識別子３０Ａを含むＵＲＬアドレスアクセス信号３１１Ａを送信手段３０２に出力する。
【０１１９】送信手段３０２は、これらの信号を受けＵＲＬアドレスアクセス要求信号３２Ｂを携帯電話通信網５を介してＵＲＬアドレス９Ａを持つサーバ２に送信する。
【０１２０】サーバ２は、ＵＲＬアドレス９Ａに対応する所定の言語形式に従う第１のページ情報を携帯電話通信網５を介して端末装置識別子３Ａの端末装置３に送信する。
【０１２１】端末装置３の受信手段３０１はＵＲＬアドレス９Ａに対応する所定の言語形式に従う第１のページ情報を受信する。
【０１２２】第１の伝達領域文字抽出手段３０６は、予め設定されたＵＲＬアドレス９Ａとこれに対応する略リンクアドレス９Ｂ１によって設定される伝達領域を記憶手段３０３から読み出し、受信した第１のページ情報から伝達領域の文字を選択的に抽出し第１の文字データを生成する。変換手段３０７は抽出生成した第１の文字データを表示情報に変換する。表示手段は表示情報を表示する。このようにして、ユーザは抽出された第１の文字データを見ることができる。
【０１２３】この事例では、情報伝達装置１ではなく端末装置３０に、第１の文字データを抽出する機能を具備したものである。このようにすれば、サーバ２の所定の言語形式に従うページ情報はインターネット４の端末装置向けに多くの情報量であっても、第１の文字データだけを抽出して表示することができる。このことは、所定の言語形式に従うページ情報を携帯電話通信網用向けのものと、インターネット向けのものを同じとしても、第１の文字データは伝達できることができ、別々に情報を作成しなくても良いという極めて優れた効果がある。
【０１２４】また、この実施例において、説明を省略しているが、端末装置３０は携帯電話の機能と併せ持つことことができるのはいうまでもない。
【０１２５】さらに、この実施例では、作動を分かりやすくするために、操作入力部３１２１、操作入力部３１１１、操作入力部３０４１は別々として記述したが、操作入力部３１２１、操作入力部３１１１、操作入力部３０４１は、同じハードで兼用し、情報発生部情報発生部３１２２、情報発生部情報発生部３１１２、情報発生部情報発生部３０４２、を別々にして構成できることはいうまでもない。
【０１２６】さらに、この実施例で、ＵＲＬアドレス９Ａと第２のＵＲＬアドレス９Ｂは同じに設定したが、同じに設定しなくとも登録アドレスであるＵＲＬアドレス９Ａに第２のＵＲＬアドレス９Ｂを対応付けができれば、どのように設定しても良いことはいうまでもない。
【その他の実施例の８】
【０１２７】その他の実施例の８を第３の実施例と呼称する。第３の実施例のシステム構成を図１８に示す。第３の実施例は、第１の実施例では情報伝達装置１によって第１の文字データの抽出と伝達をしたが、そうではなく、サーバ２０に具備したものである。従って、情報伝達装置１は不要で、情報の伝達は、サーバ２０と端末装置３の間で行われる。この事例では、サーバ２０と端末装置３は電子メール送受信機能やブラウザ機能を具備しており携帯電話通信網５を介して接続されている。ここで、電子メール送受信機能やブラウザ機能は広く知られており記述を省略する。また、端末装置３の構成は第１の実施例とほとんど同じであり詳細な説明を省略している。
【０１２８】サーバ２０は、受信手段２０１、送信手段２０２、記憶手段２０３、伝達領域設定手段２１０１、第１の伝達領域文字抽出手段２１４１、情報変換手段２０９を具備している。また、受信手段２０１は登録アドレス検知手段２０１１を備える。
【０１２９】受信手段２０１は、端末装置３より携帯電話通信網５を介してサーバ２０へのＵＲＬアドレスアクセス要求信号を受信しＵＲＬアドレス９Ａと端末装置３の端末装置識別子を検知し検出登録アドレスを出力するとともに、その他のサーバ２０への情報を受信する。
【０１３０】登録アドレス検知手段２０１１は、端末装置３より携帯電話通信網５を介してサーバ２０へのＵＲＬアドレスアクセス要求信号からＵＲＬアドレス９Ａと端末装置３の端末装置識別子を検知しこれら含む検出登録アドレスを出力する。
【０１３１】伝達領域設定手段２１０１は、操作入力部２１０１１と情報発生部２１０１２をもち、操作入力部２１０１１を操作することで情報発生部２１０１２から設定データが出力され記憶手段２０３に記憶される。すなわち、操作入力部２１０１１により入力操作することで、端末装置識別子３ＡとＵＲＬアドレス９Ａからなる登録アドレスに対応する第２のＵＲＬアドレス９Ｂと略リンクアドレス９Ｂ１によって指定する伝達領域と、情報送付先端末装置アドレスの設定データが情報発生部２１０１２から発生され記憶手段２０３に記憶される。ここで、情報送付先端末装置アドレスはＥメールアドレスと端末装置識別子のどちらかが設定される。情報送付先端末装置アドレスとして指定がないときは端末装置識別子とみなされる。
【０１３２】第１の伝達領域文字抽出手段２１４１は、検出登録アドレスからの登録アドレスに対応する第２のＵＲＬアドレス９Ｂと略リンクアドレス９Ｂ１の伝達領域を記憶手段２０３から読み出し、かつ、第２のＵＲＬアドレス９Ｂの第１のページ表示情報を記憶手段２０３から読出し、第１のページ表示情報から伝達領域で指定された文字を選択的に読み出し対応する第１の文字データを抽出出力する。
【０１３３】記憶手段２０３は、第２のＵＲＬアドレス９Ｂかつ略リンクアドレス９Ｂ１に対応し第１の文字データを記憶し、かつ、伝達領域や情報送付先アドレス、あるいは、第１のページ表示情報等必要な情報を記憶する。
【０１３４】情報変換手段２０９は、検出登録アドレスからの登録アドレスに対応する情報送付先端末装置アドレスを記憶手段２０３より読出し情報送付先端末装置アドレスが端末装置識別子形式かＥメールアドレス形式かをチェックし、端末装置識別子形式であれば第１の文字データを所定の言語形式に従うページ情報に変換した送信伝達情報を出力、或いは、Ｅメールアドレス形式であれば第１の文字データを電子メール情報に変換した送信伝達情報を出力する。
【０１３５】送信手段２０２は、送付先の情報送付先端末装置識別子或いはＥメールアドレスの端末装置３へ携帯電話通信網５を介して送信伝達情報を送信する。
【０１３６】端末装置３は、情報表示手段３５により第１の文字データを電子メール情報として表示情報表示手段３５、選択位置操作部３とアクセスボタン部３４２をもつ操作入力情報発生手段３４、送信手段３２、記憶手段３３、受信手段３１を備える。受信手段３１はサーバ２０から送信伝達情報を受信し伝達情報を出力する。情報表示手段３５は、伝達情報を受け、人が見て分かるように変換し表示する。
【０１３７】作動を説明する。尚、第１、第２の実施例と同様なところは省略している。ここで、予め登録アドレスに対応して設定される情報送付先端末装置アドレスは電子メールアドレスが設定されているものとする。
【０１３８】端末装置３のユーザは、情報表示手段３５の表示部３５１に表示される表示画面を見ながら、画面のアドレス欄に操作入力情報発生手段３４のボタン操作入力部３４３を操作し、インターネット上の欲しいデータのＵＲＬアドレス９Ａを選択しアクセスボタン部３４２を押す。操作入力情報発生手段３４はＵＲＬアドレス９Ａと端末装置識別子３Ａを含むＵＲＬアドレスアクセス信号を送信手段３２に出力する。
【０１３９】送信手段３２は、ＵＲＬアドレスアクセス信号を受けＵＲＬアドレスアクセス要求信号を携帯電話通信網５を介してＵＲＬアドレス９Ａを持つサーバ２０に送信する。
【０１４０】サーバ２０の受信手段２０１の登録アドレス検知手段２０１１は端末装置３のＵＲＬアドレス９ＡへのＵＲＬアドレスアクセス要求信号からＵＲＬアドレス９Ａと端末装置３の端末装置識別子を検知しこれら含む検出登録アドレスを出力する。
【０１４１】第１の伝達領域文字抽出手段２１４１は、検出登録アドレスを受けＵＲＬアドレス９Ａと端末装置３の端末装置識別子に対応する第２のＵＲＬアドレス９Ｂと略リンクアドレス９Ｂ１の伝達領域を記憶手段２０３から読み出し、かつ、第２のＵＲＬアドレス９Ｂの第１のページ情報を記憶手段２０３から読み出し、そして、第１のページ表示情報から伝達領域の文字を選択的に読み出し対応する第１の文字データを抽出する。
【０１４２】次に、情報変換手段２０９は、検出登録アドレスと第１の文字データを受け、登録アドレスに対応する情報送付先端末装置アドレスが端末装置識別子形式かＥメールアドレス形式かをチェックする。ここでは、Ｅメールアドレス形式であるので第１の文字データを電子メール情報としてのメール型の送信伝達情報として変換し情報送付先端末装置アドレスとともに送信手段２０２に出力する。
【０１４３】送信手段２０２は、端末装置３へ携帯電話通信網５を介してメール送信伝達情報を情報送付先端末装置アドレス宛てに送信する。
【０１４４】情報送付先端末装置アドレスの端末装置３は、送信伝達情報を受信し伝達情報として記憶し、かつ、伝達情報を情報表示手段３５で人が見て分かるように変換し表示する。ここで、伝達情報がメール型である場合は、電子メール機能のソフトをボタン操作入力部３４３とアクセスボタン部３４２により開き操作すると、情報表示手段３５は、記憶されたメール型の送信伝達情報を受け人が見て分かるように変換し第１の文字データを電子メール情報として表示する。ユーザは抽出された第１の文字データを見ることができる。
【０１４５】尚、情報変換手段２０９は、情報送付先端末装置アドレスが端末装置識別子形式であれば、第１の文字データをＨＴＭＬのページ情報型の送信伝達情報として変換する。またこのとき、情報表示手段３５は第１の文字データをページ情報として変換し表示する。
【０１４６】即ち、情報伝達装置１はなくても、第１の文字データの抽出と伝達の機能を、サーバ２によって具備させることで第１の文字データの抽出と伝達を実現させることも可能である。このようにすることで、情報伝達装置１はなくても、サーバ２０は端末装置３からアクセスがあったとき、アクセスのＵＲＬアドレス９Ａと端末装置識別子で決まる登録アドレスに対応する伝達領域或いはこれに加えて情報送付先端末装置アドレスを予め設定しておけば、ユーザの要求に合ったコンパクトな情報を希望する通信ルートで提供できるという優れた効果がある。
【０１４７】尚、電子メール情報として送付する際には、携帯電話であってもより大きな情報量を送付できるから、登録アドレスに対応する第２のＵＲＬアドレスと略リンクアドレスの数、即ち、伝達領域の数を増大し、例えば、経済・スポーツ、国際、政治、芸能等の多くの分野の情報を第１の文字データを抽出し情報をコンパクトに圧縮し、一度に送信することも可能であるのはいうまでもない。このとき、必要な第１の文字データのみを送付するから通信効率を極めて高くすることができるという優れた効果がある。
【その他の実施例の９】
【０１４８】さらに、第３の実施例では端末装置３のＵＲＬアドレス９ＡへのＵＲＬアドレスアクセス要求信号から受信手段２０１の登録アドレス検知手段２０１１により登録アドレスであるＵＲＬアドレス９Ａと端末装置３の端末装置識別子を検知しているが、そうではなく、情報送付先端末装置アドレスへの送信のタイミングを発生する送信タイミング発生手段を具備し、送信タイミング発生手段は、予め設定されたＵＲＬアドレス９Ａと端末装置識別子からなる登録アドレスに対応する送信タイミング条件を設定しておき登録アドレスごとに送信タイミング条件を満たす時間に登録アドレスの情報を含む送信タイミング信号を発生し、送信タイミング信号から登録アドレスを検知し検出登録アドレスを発生するようにしてもよい。このとき、送信タイミング条件としては、絶対暦日時間や周期時間など自由に設定が可能であることはいうまでもない。
【その他の実施例の１０】
【０１４９】さらに、第３の実施例では端末装置３とサーバ２０は携帯電話通信網５で接続されているが、そうではなく、インターネット４に接続されていてもよいのはいうまでもない。
【その他の実施例の１１】
【０１５０】その他の実施例の１１を第４の実施例と呼称する。第１の実施例のように第１の文字データをそのまま情報伝達するのではなく、第４の実施例のように、第１の文字データの更新変化を検知する更新検知出力手段８１０を具備し、変化した更新後の第１の文字データを端末装置３に情報伝達することもできる。図１９は情報伝達装置１の一部を示す構成図で、情報伝達装置１に具備された更新検知出力手段８１０と記憶手段１０２と第１の第１の伝達領域文字抽出手段１４１を示す。
【０１５１】更新検知出力手段８１０は、登録アドレスの伝達領域に対応して第１の伝達領域文字抽出手段１４１から以前に抽出され記憶手段１０２に記憶した第１の文字データを読出し、記憶手段１０２より読み出した第１の文字データと、新たに第１の伝達領域文字抽出手段１４１から抽出された最新の第１の文字データを入力とし、二つのデータが同一であるかどうかを比較し、違いがあり「非同一」と判定されたとき最新の第１の文字データを第１の更新文字データ８１０Ａとして出力する。このとき、第１の更新文字データ８１０Ａのみを端末装置３に送信し、送信の終了とともに第１の更新文字データを記憶手段１０２に第１の文字データとして記憶する。このような更新検知出力手段８１０を第１の実施例に備え、第１の更新文字データを記憶手段１０２に第１の文字データとして記憶し、最新の第１の文字データが変化したものかどうかをチェックし変化したときのみ最新の第１の更新文字データ８１０Ａを端末装置３に送信できることは言うまでもない。このようにすれば、常に新しいデータのみを送信伝達できる。
【図面の簡単な説明】
【０１５２】
【図１】第１の実施例の全体のシステム構成図である。
【図２】第１の実施例の情報伝達装置１の構成図である。
【図３】第１の実施例の端末装置３の構成図である。
【図４】第１の実施例のサーバ２の構成図である。
【図５】第１の実施例の登録アドレスに対応する第２のＵＲＬアドレス９Ｂ、略リンクアドレス９Ｂ１、文字記号配置の特徴９ＢＴを設定する伝達領域の記憶説明図を示す。
【図６】第１の実施例のサービスメニューホームページの表示例を示す表示イメージ図である。
【図７】第１の実施例の第１の受信ページ情報１２１Ａの一部の内容を示す説明図である。
【図８】第１の実施例の１番目のリンク絶対アドレス１４３Ａ１Ｚの記憶された第２のページ情報の一部を示す説明図である。
【図９】第１の実施例の２番目のリンク絶対アドレス１４３Ａ２Ｚの記憶された第２のページ情報の一部を示す説明図である。
【図１０】第１の実施例の３番目のリンク絶対アドレス１４３Ａ３Ｚの記憶された第２のページ情報の一部を示す説明図である。
【図１１】第１の実施例の第１の文字データを含むリンク付きページ情報の表示例を示す表示イメージ図である。
【図１２】第１の実施例の第２の文字データを含むページ情報の表示例を示す表示イメージ図である。
【図１３】その他の実施例の３登録アドレスに対応する伝達領域と情報送付先アドレスの対応を説明するための説明図である。
【図１４】その他の実施例の５の情報伝達装置１の一部の構成を示す一部構成図である。
【図１５】その他の実施例の５の電子メール情報の表示イメージ図である。
【図１６】その他の実施例の６の情報伝達装置１の一部を示す一部構成図である。
【図１７】その他の実施例の７、第２の実施例のシステム構成図である。
【図１８】その他の実施例の８、第３の実施例のシステム構成図である。
【図１９】その他の実施例の１１、第４の実施例の情報伝達装置１の一部を示す一部構成図である。
【符号の説明】
【０１５３】１      ・・・  情報伝達装置
１０１  ・・・  伝達領域設定手段
１０２  ・・・  記憶手段
１０５  ・・・  情報要求信号発生手段
１１１  ・・・  第１の受信手段
１１２  ・・・  第１の送信手段
１２１  ・・・  第２の受信手段
１２２  ・・・  第２の送信手段
１３１  ・・・  サーバアクセス制御手段
１３２  ・・・  アクセス制御部
１３３  ・・・  アクセス情報発生部
１４１  ・・・  第１の伝達領域文字抽出手段
１４２  ・・・  第２の伝達領域文字抽出手段
１４３  ・・・  リンクアドレス読出手段
１５１  ・・・  第１のページ情報生成手段
１７１  ・・・  メニューホームページ設定手段
１７２  ・・・  メニューページ情報生成手段
２      ・・・  サーバ
３      ・・・  端末装置
３００  ・・・  携帯電話
４      ・・・  インターネット
５      ・・・  携帯電話通信網
【図１】
2006031661.tif 000003
【図２】
2006031661.tif 000004
【図３】
2006031661.tif 000005
【図４】
2006031661.tif 000006
【図５】
2006031661.tif 000007
【図６】
2006031661.tif 000008
【図７】
2006031661.tif 000009
【図８】
2006031661.tif 000010
【図９】
2006031661.tif 000011
【図１０】
2006031661.tif 000012
【図１１】
2006031661.tif 000013
【図１２】
2006031661.tif 000014
【図１３】
2006031661.tif 000015
【図１４】
2006031661.tif 000016
【図１５】
2006031661.tif 000017
【図１６】
2006031661.tif 000018
【図１７】
2006031661.tif 000019
【図１８】
2006031661.tif 000020
【図１９】
2006031661.tif 000021